(57)【要約】【課題】液晶パネルの入射側に位置する偏光板を効果的に冷却できるプロジェクターを提供すること。【解決手段】プロジェクターは、光源装置、画像形成装置、投射光学装置及び冷却装置を備え、画像形成装置は、液晶パネル、入射側偏光板及び取付部材を有する光変調装置を備え、冷却装置は、液晶パネルに液体冷媒を流通させる第１流通装置を有し、液晶パネルは、長方形状の変調領域を有するパネル本体と、パネル本体を囲むフレームとを備え、フレームは、変調領域における一対の長辺の一方と一対の短辺とに沿って液体冷媒が流通する第１流路を有し、入射側偏光板は、偏光板本体及び透光性基板を有し、取付部材は、入射側偏光板を挟持する一対の挟持部材と、支持部材とを有し、各挟持部材は、一対の長辺のそれぞれに応じた位置に配置され、支持部材は、上記光入射側の面において、変調領域の外側で一対の短辺のそれぞれに沿う領域に接続される。【選択図】図１２
2019082559.tif 000002
【特許請求の範囲】
【請求項１】
光源装置と、
前記光源装置から出射された光によって画像を形成する画像形成装置と、
前記画像形成装置によって形成された画像を投射する投射光学装置と、
前記画像形成装置を冷却する冷却装置と、を備え、
前記画像形成装置は、前記光源装置から出射された光を変調する光変調装置を備え、
前記光変調装置は、
液晶パネルと、
前記液晶パネルの光入射側に位置する入射側偏光板と、
前記入射側偏光板を前記液晶パネルに取り付ける取付部材と、を備え、
前記冷却装置は、前記液晶パネルに液体冷媒を流通させる第１流通装置を有し、
前記液晶パネルは、
光を変調する長方形状の変調領域を有するパネル本体と、
前記パネル本体を囲むフレームと、を備え、
前記フレームは、前記液晶パネルを光入射側から見て、前記変調領域の外側で、前記変調領域における一対の長辺の一方と一対の短辺とに沿って配置され、前記液体冷媒が流通する第１流路を有し、
前記入射側偏光板は、
偏光板本体と、
前記偏光板本体に対する光入射側に位置し、前記偏光板本体と接触する透光性基板と、を有し、
前記取付部材は、
前記入射側偏光板を挟持する一対の挟持部材と、
前記フレームにおける光入射側の面に取り付けられ、前記一対の挟持部材を支持する支持部材と、を有し、
前記一対の挟持部材は、前記一対の長辺のそれぞれに応じた位置に配置され、
前記支持部材は、前記フレームにおける光入射側の面において、前記変調領域の外側で、前記一対の短辺のそれぞれに沿う領域に接続されることを特徴とするプロジェクター。
【請求項２】
請求項１に記載のプロジェクターにおいて、
前記フレームは、前記変調領域の外側で、前記一対の長辺のうち他方に沿って配置され、前記液体冷媒の一部が流通する第２流路を有することを特徴とするプロジェクター。
【請求項３】
請求項１又は請求項２に記載のプロジェクターにおいて、
前記偏光板本体は、透過軸を有するワイヤーグリッド偏光素子であり、
前記一対の挟持部材のそれぞれは、前記入射側偏光板の側面のうち、前記透過軸に交差する側面に応じて設けられていることを特徴とするプロジェクター。
【請求項４】
請求項１から請求項３のいずれか一項に記載のプロジェクターにおいて、
前記画像形成装置は、
複数の前記光変調装置と、
複数の前記光変調装置にて変調された光を合成する光合成装置と、を備え、
複数の前記光変調装置は、
前記光源装置から出射された光のうち第１光を変調する第１光変調装置と、
前記光源装置から出射された光のうち第２光を変調する第２光変調装置と、
前記光源装置から出射された光のうち第３光を変調する第３光変調装置と、を含み、
前記光合成装置は、
前記第１光変調装置にて変調された前記第１光を透過させ、前記第２光変調装置にて変調された前記第２光、及び、前記第３光変調装置にて変調された前記第３光を反射させて、前記第１光、前記第２光及び前記第３光を合成し、
前記画像形成装置は、それぞれ前記光合成装置に入射される前記第２光及び前記第３光の光路に設けられ、入射される光の偏光方向を回転させる位相差素子を有することを特徴とするプロジェクター。
【請求項５】
請求項４に記載のプロジェクターにおいて、
前記位相差素子は、前記第２光及び前記第３光のそれぞれの光路において、前記第２光変調装置及び前記第３光変調装置のそれぞれの光出射側に配置され、
複数の前記光変調装置において、前記一対の挟持部材は、それぞれ前記一対の長辺に応じた位置に配置され、
前記支持部材は、複数の前記光変調装置のそれぞれの前記フレームにおける光入射側の面において、前記変調領域の外側で、前記一対の短辺のそれぞれに沿う領域に接続されることを特徴とするプロジェクター。
【請求項６】
請求項４に記載のプロジェクターにおいて、
前記位相差素子は、前記第２光及び前記第３光のそれぞれの光路において、前記第２光変調装置及び前記第３光変調装置のそれぞれが有する前記偏光板本体の光入射側に配置され、
前記第１光変調装置が有する前記一対の挟持部材は、それぞれ前記一対の長辺に応じた位置に配置され、
前記第１光変調装置が有する前記支持部材は、前記第１光変調装置の前記フレームにおける光入射側の面において、前記変調領域の外側で、前記一対の短辺のそれぞれに沿う領域に接続され、
前記第２光変調装置及び前記第３光変調装置のそれぞれが有する前記一対の挟持部材は、それぞれ前記一対の短辺に応じた位置に配置され、
前記第２光変調装置及び前記第３光変調装置のそれぞれが有する前記支持部材は、前記第２光変調装置及び前記第３光変調装置のそれぞれの前記フレームにおける光入射側の面において、前記変調領域の外側で、前記一対の長辺のそれぞれに沿う領域に接続されることを特徴とするプロジェクター。
【請求項７】
請求項１から請求項６のいずれか一項に記載のプロジェクターにおいて、
前記冷却装置は、前記一対の長辺のうち一方から他方に向かう方向に沿って、前記入射側偏光板及び前記液晶パネルに気体冷媒を流通させる第２流通装置を備えることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調する光変調装置と、当該光変調装置によって変調された光を投射する投射光学装置と、を備えたプロジェクターが知られている。このようなプロジェクターとして、透過型液晶パネルと、当該透過型液晶パネルの入射側及び出射側のそれぞれに配置された偏光板と、を有するプロジェクターが知られている（例えば、特許文献１参照）。
【０００３】
この特許文献１に記載のプロジェクターは、上記構成に加えて、各偏光板の表面に全面的に接合された放熱用部材としてのサファイア基板と、当該サファイア基板から伝導される熱を放熱する放熱部材と、を備える。そして、偏光板にて生じた熱は、サファイア基板を介して放熱部材に伝達され、当該放熱部材にて放出される。これにより、偏光板が冷却される。
【先行技術文献】
【特許文献】
【０００４】
【特許文献１】特開２００２−２１４５８５号公報
【発明の概要】
【発明が解決しようとする課題】
【０００５】
近年、投射画像の高輝度化の要望を受け、プロジェクターに採用される光源装置の高輝度化が進められている。このような光源装置が採用されたプロジェクターでは、上記液晶パネルの出射側に位置する偏光板だけでなく、入射側に位置する偏光板も効果的に冷却する必要が生じてきた。
このため、液晶パネルの入射側に位置する偏光板をより効果的に冷却できる構成が要望されてきた。
【０００６】
本発明は、上記課題の少なくとも一部を解決することを目的としたものであり、液晶パネルの入射側に位置する偏光板を効果的に冷却できるプロジェクターを提供することを目的の１つとする。
【課題を解決するための手段】
【０００７】
本発明の一態様に係るプロジェクターは、光源装置と、前記光源装置から出射された光によって画像を形成する画像形成装置と、前記画像形成装置によって形成された画像を投射する投射光学装置と、前記画像形成装置を冷却する冷却装置と、を備え、前記画像形成装置は、前記光源装置から出射された光を変調する光変調装置を備え、前記光変調装置は、液晶パネルと、前記液晶パネルの光入射側に位置する入射側偏光板と、前記入射側偏光板を前記液晶パネルに取り付ける取付部材と、を備え、前記冷却装置は、前記液晶パネルに液体冷媒を流通させる第１流通装置を有し、前記液晶パネルは、光を変調する長方形状の変調領域を有するパネル本体と、前記パネル本体を囲むフレームと、を備え、前記フレームは、前記液晶パネルを光入射側から見て、前記変調領域の外側で、前記変調領域における一対の長辺の一方と一対の短辺とに沿って配置され、前記液体冷媒が流通する第１流路を有し、前記入射側偏光板は、偏光板本体と、前記偏光板本体に対する光入射側に位置し、前記偏光板本体と接触する透光性基板と、を有し、前記取付部材は、前記入射側偏光板を挟持する一対の挟持部材と、前記フレームにおける光入射側の面に取り付けられ、前記一対の挟持部材を支持する支持部材と、を有し、前記一対の挟持部材は、前記一対の長辺のそれぞれに応じた位置に配置され、前記支持部材は、前記フレームにおける光入射側の面において、前記変調領域の外側で、前記一対の短辺のそれぞれに沿う領域に接続されることを特徴とする。
【０００８】
このような構成によれば、入射側偏光板の偏光板本体にて生じた熱の一部は、当該偏光板本体に対して光入射側に位置する透光性基板に伝達され、当該透光性基板にて放熱される。これにより、偏光板本体が冷却される。
また、偏光板本体にて生じた熱の他の一部は、当該偏光板本体から支持部材に伝達される。この支持部材は、パネル本体を囲むフレームにおける光入射側の面と接続されるので、当該支持部材に伝達された熱は、フレームに伝達される。このフレームは、第１流通装置によって流通される液体冷媒の流路を有し、当該流路は、変調領域の外側で、当該変調領域の一対の長辺の一方と一対の短辺とに沿って形成されている。そして、フレームにおいて支持部材が接続される領域は、当該一対の短辺のそれぞれに応じた位置であるので、当該支持部材からフレームへの熱の伝達領域に液体冷媒を流通させることができる。これにより、当該フレームに伝達された偏光板本体の熱を、液体冷媒に効果的に伝達させることができ、当該偏光板本体を冷却できる。
更に、一対の挟持部材は、変調領域の一対の長辺のそれぞれに応じた位置に配置されるので、支持部材において、フレームとの接続部と、各挟持部材によって挟持される被挟持部とを異ならせることができ、フレームと偏光板本体との間に空隙を形成しやすくすることができる。この空隙を流通する気体冷媒に、フレームの熱及び偏光板本体の熱を伝達できるので、これらフレーム及び偏光板本体を空冷できる。
従って、偏光板本体の熱を分散させた上で、当該熱を液体冷媒及び気体冷媒に効率よく伝達させることができるので、偏光板本体、すなわち、光変調装置の光入射側に位置する偏光板を効率よく冷却できる。
【０００９】
上記一態様では、前記フレームは、前記変調領域の外側で、前記一対の長辺のうち他方に沿って配置され、前記液体冷媒の一部が流通する第２流路を有することが好ましい。
このような構成によれば、フレームが、上記第１流路に加えて第２流路を有することによって、フレームに伝達された熱と液体冷媒との接触面積を拡大できる。これにより、フレームに伝達されるパネル本体の熱、及び、支持部材を介してフレームに伝達される偏光板本体の熱を、効率よく液体冷媒に伝達させることができる。従って、パネル本体及び偏光板本体を効率よく冷却できる。
【００１０】
上記一態様では、前記偏光板本体は、透過軸を有するワイヤーグリッド偏光素子であり、前記一対の挟持部材のそれぞれは、前記入射側偏光板の側面のうち、前記透過軸に交差する側面に応じて設けられていることが好ましい。
なお、ワイヤーグリッド偏光素子は、直線状のワイヤーが平面内にて複数配列されたグリッド構造を有する。このワイヤーグリッド偏光素子は、上記ワイヤーの延出方向に対して直交する方向の偏光成分の光を透過させ、当該ワイヤーの延出方向と平行な方向の偏光成分の光を吸収又は反射させる。すなわち、ワイヤーグリッド偏光素子の透過軸は、上記ワイヤーの延出方向に対する直交方向に沿う軸である。
【００１１】
ここで、挟持部材が入射側偏光板を挟持する際に、当該入射側偏光板のワイヤーグリッド構造の一部を破損することがある。そして、挟持部材が、偏光板本体における上記ワイヤーの延出方向に対して交差する側面に設けられている場合、発生した破損が当該ワイヤーに沿って広がり、破損箇所が偏光板本体における光の透過領域内に位置してしまう可能性がある。このため、当該破損が生じないように、挟持部材による挟持力を調整したり、挟持部材の構成を検討したりする必要がある。
これに対し、挟持部材は、上記透過軸に交差する側面、すなわち、ワイヤーの延出方向に沿う側面に配置される。これによれば、上記破損が上記ワイヤーに広がった場合でも、破損箇所が上記透過領域内に位置することを抑制できる。従って、入射側偏光板、ひいては、プロジェクターの信頼性が低下することを抑制できる。
【００１２】
上記一態様では、前記画像形成装置は、複数の前記光変調装置と、複数の前記光変調装置にて変調された光を合成する光合成装置と、を備え、複数の前記光変調装置は、前記光源装置から出射された光のうち第１光を変調する第１光変調装置と、前記光源装置から出射された光のうち第２光を変調する第２光変調装置と、前記光源装置から出射された光のうち第３光を変調する第３光変調装置と、を含み、前記光合成装置は、前記第１光変調装置にて変調された前記第１光を透過させ、前記第２光変調装置にて変調された前記第２光、及び、前記第３光変調装置にて変調された前記第３光を反射させて、前記第１光、前記第２光及び前記第３光を合成し、前記画像形成装置は、それぞれ前記光合成装置に入射される前記第２光及び前記第３光の光路に設けられ、入射される光の偏光方向を回転させる位相差素子を有することが好ましい。
【００１３】
このような構成によれば、光合成装置にて合成される第１光、第２光及び第３光のうち、第１光は、光合成装置を透過し、第２光及び第３光は、当該光合成装置にて反射される。そして、第２光及び第３光の光路に上記位相差素子が配置されることにより、光合成装置での反射の際に損失が生じにくい偏光の光として、第２光及び第３光を当該光合成装置に入射させることができる。また、光合成装置での透過の際に損失が生じにくい偏光の光として、第１光を当該光合成装置に入射させることができる。従って、光合成装置にて第１光、第２光及び第３光の損失が生じることを抑制できる。
【００１４】
上記一態様では、前記位相差素子は、前記第２光及び前記第３光のそれぞれの光路において、前記第２光変調装置及び前記第３光変調装置のそれぞれの光出射側に配置され、複数の前記光変調装置において、前記一対の挟持部材は、それぞれ前記一対の長辺に応じた位置に配置され、前記支持部材は、複数の前記光変調装置のそれぞれの前記フレームにおける光入射側の面において、前記変調領域の外側で、前記一対の短辺のそれぞれに沿う領域に接続されることが好ましい。
ここで、位相差素子が第２光変調装置及び第３光変調装置のそれぞれの光出射側に配置されていることによって、各光変調装置には、偏光方向が同じ光を入射させることができる。このため、各光変調装置において、支持部材及び挟持部材のそれぞれの配置を統一できる。従って、プロジェクターの構成を簡略化できる。
【００１５】
上記一態様では、前記位相差素子は、前記第２光及び前記第３光のそれぞれの光路において、前記第２光変調装置及び前記第３光変調装置のそれぞれが有する前記偏光板本体の光入射側に配置され、前記第１光変調装置が有する前記一対の挟持部材は、それぞれ前記一対の長辺に応じた位置に配置され、前記第１光変調装置が有する前記支持部材は、前記第１光変調装置の前記フレームにおける光入射側の面において、前記変調領域の外側で、前記一対の短辺のそれぞれに沿う領域に接続され、前記第２光変調装置及び前記第３光変調装置のそれぞれが有する前記一対の挟持部材は、それぞれ前記一対の短辺に応じた位置に配置され、前記第２光変調装置及び前記第３光変調装置のそれぞれが有する前記支持部材は、前記第２光変調装置及び前記第３光変調装置のそれぞれの前記フレームにおける光入射側の面において、前記変調領域の外側で、前記一対の長辺のそれぞれに沿う領域に接続されることが好ましい。
【００１６】
このような構成によれば、位相差素子が、第２及び第３光変調装置のそれぞれが有する偏光板本体の光入射側に位置することによって、第１光変調装置の偏光板本体に入射される第１光の偏光方向と、第２及び第３光変調装置のそれぞれの偏光板本体に入射される第２光及び第３光の偏光方向とは異なる。このため、第１光変調装置の偏光板本体における透過軸の延出方向と、第２及び第３光変調装置の偏光板本体における透過軸の延出方向とは異なる。
これに対し、上記構成によれば、第１光変調装置が有する一対の挟持部材は、上記一対の長辺に応じた位置に配置され、第２及び第３光変調装置のそれぞれが有する一対の挟持部材は、上記一対の短辺に応じた位置に配置される。これによれば、第１〜第３光変調装置の全てにおいて、それぞれの偏光板本体の透過軸に交差する側面に応じて各挟持部材を配置できる。従って、各光変調装置を構成する偏光板本体の光の透過領域内に破損箇所が位置することを抑制でき、プロジェクターの信頼性を一層向上させることができる。
【００１７】
また、第１光変調装置においては、支持部材が上記一対の短辺に応じた位置に接続されるので、上記と同様に、フレームにおける支持部材の接続領域、すなわち、偏光板本体からの熱の伝達領域に液体冷媒を流通させることができる。従って、当該熱を効果的に液体冷媒に伝達させることができる。
なお、第２及び第３光変調装置では、支持部材は、フレームにおいて上記一対の長辺のそれぞれに応じた領域に接続される。このため、フレームに上記第２流路が無い場合には、第２光及び第３光変調装置においては、偏光板本体の熱を液体冷媒に伝達させづらくなるため、当該偏光板本体の冷却効率が若干低下する。しかしながら、光変調装置に対して光入射側に位置する位相差素子は、上記透光性部材として用いることができる。この場合には、位相差素子を別途設ける場合に比べて、部品点数の増加を抑制できる。
【００１８】
上記一態様では、前記冷却装置は、前記一対の長辺のうち一方から他方に向かう方向に沿って、前記入射側偏光板及び前記液晶パネルに気体冷媒を流通させる第２流通装置を備えることが好ましい。
これによれば、液体冷媒だけでなく気体冷媒にも、入射側偏光板及び液晶パネルのそれぞれにて生じた熱を確実に伝達させることができる。従って、これら入射側偏光板及び液晶パネルを一層効果的に冷却できる。
【図面の簡単な説明】
【００１９】
【図１】本発明の第１実施形態に係るプロジェクターの構成を示す模式図。
【図２】上記第１実施形態における画像投射装置の構成を示す模式図。
【図３】上記第１実施形態における光源装置の構成を示す模式図。
【図４】上記第１実施形態における画像形成ユニットを光入射側から見た斜視図。
【図５】上記第１実施形態における冷却装置の構成を示す模式図。
【図６】上記第１実施形態における光変調装置を光入射側から見た分解斜視図。
【図７】上記第１実施形態における入射側偏光板、入射側取付部材及び液晶パネルを光入射側から見た分解斜視図。
【図８】上記第１実施形態における入射側偏光板、入射側取付部材及び液晶パネルを光出射側から見た分解斜視図。
【図９】上記第１実施形態における入射側偏光板及び入射側取付部材を示す斜視図。
【図１０】上記第１実施形態における光変調装置を示す断面図。
【図１１】上記第１実施形態における光変調装置を示す断面図。
【図１２】上記第１実施形態における光変調装置を光入射側から見た図。
【図１３】本発明の第２実施形態に係るプロジェクターが備える画像投射装置の構成を示す模式図。
【図１４】上記第２実施形態におけるフレーム本体からカバー部材を取り外した状態の光変調装置を光入射側から見た斜視図。
【図１５】上記第２実施形態における光変調装置を光入射側から見た図。
【発明を実施するための形態】
【００２０】
［第１実施形態］
以下、本発明の第１実施形態について、図面に基づいて説明する。
［プロジェクターの概略構成］
図１は、本実施形態に係るプロジェクター１の構成を示す模式図である。
本実施形態に係るプロジェクター１は、光源装置４１から出射される光を変調して画像情報に応じた画像を形成し、当該画像をスクリーン等の被投射面上に拡大投射する投射型表示装置である。このプロジェクター１は、図１に示すように、外装を構成する外装筐体２と、当該外装筐体２内に収容される装置本体３と、を備える。
このようなプロジェクター１は、詳しくは後述するが、光変調装置６の構成に特徴の１つを有する。
以下、プロジェクター１の構成について、詳述する。
【００２１】
［外装筐体の構成］
外装筐体２は、略直方体形状に形成されている。この外装筐体２は、正面部２３、背面部２４、右側面部２５（正面部２３側から見て右側に位置する側面部）及び左側面部２６（正面部２３側から見て左側に位置する側面部）を有する他、それぞれ図示を省略するが、これら面部２３〜２６の一端側を接続する天面部と、これら面部２３〜２６の他端側を接続する底面部と、を有する。
【００２２】
正面部２３は、後述する投射光学装置４８の一部を露出させる開口部２３１と、当該開口部２３１に対して左側面部２６側及び右側面部２５側に位置し、外装筐体２の外部の気体を冷却気体として内部に取り込む導入口２３２，２３３と、を有する。
背面部２４は、外装筐体２内を流通した気体を外装筐体２外に排出する排出口２４１，２４２を有する。
【００２３】
なお、以下の説明では、互いに交差する＋Ｌ方向、＋Ｍ方向及び＋Ｎ方向のうち、＋Ｎ方向を、背面部２４から正面部２３に向かう方向とする。また、＋Ｌ方向を、左側面部２６から右側面部２５に向かう方向とし、＋Ｍ方向を、底面部から天面部に向かう方向とする。すなわち、＋Ｎ方向は、図１の図面視で下側から上側に向かう方向であり、＋Ｌ方向は、右側から左側に向かう方向であり、＋Ｍ方向は、奥側から手前側に向かう方向である。また、図示を省略するが、＋Ｎ方向の反対方向を−Ｎ方向とする。−Ｌ方向及び−Ｍ方向も同様である。なお、以下の説明では、＋Ｌ方向、＋Ｍ方向及び＋Ｎ方向は、それぞれ互いに直交する方向（垂直な方向）として規定している。
【００２４】
［装置本体の構成］
装置本体３は、外装筐体２に収容されるプロジェクター１の内部構成である。この装置本体３は、画像投射装置４、冷却装置５及び電源装置８を備える。この他、図示を省略するが、装置本体３は、プロジェクター１の動作を制御する制御装置を備える。
これらのうち、電源装置８は、外装筐体２内において右側面部２５に沿って配置されている。この電源装置８は、外部から供給される電力を変圧して、プロジェクター１を構成する電子部品に供給する。
【００２５】
［画像投射装置の構成］
図２は、画像投射装置４の構成を示す模式図である。
画像投射装置４は、上記制御装置から入力される画像情報に応じた画像を形成及び投射するものであり、外装筐体２内において、＋Ｎ方向側で−Ｌ方向側に配置されている。この画像投射装置４は、図２に示すように、光源装置４１、画像形成装置４２及び投射光学装置４８を有する。
【００２６】
［光源装置の構成］
図３は、光源装置４１の構成を示す模式図である。
光源装置４１は、赤、緑及び青の各色光を含む照明光を画像形成装置４２に出射する。この光源装置４１は、図３に示すように、光源部４１０、アフォーカル光学素子４１１、第１位相差素子４１２、ホモジナイザー光学素子４１３、光合成素子４１４、第２位相差素子４１５、第１集光素子４１６、光拡散装置４１７、第２集光素子４１８、波長変換装置４１９及び第３位相差素子ＲＰを備える。
【００２７】
これらのうち、光源部４１０、アフォーカル光学素子４１１、第１位相差素子４１２、ホモジナイザー光学素子４１３、第２位相差素子４１５、第１集光素子４１６及び光拡散装置４１７は、光源装置４１に設定された第１照明光軸Ａｘ１上に配置される。一方、第２集光素子４１８、波長変換装置４１９及び第３位相差素子ＲＰは、同じく光源装置４１に設定され、第１照明光軸Ａｘ１に交差する第２照明光軸Ａｘ２上に配置される。この第２照明光軸Ａｘ２の延長線上に、後述する均一化装置４３が配置される。
また、光合成素子４１４は、第１照明光軸Ａｘ１と第２照明光軸Ａｘ２との交差部分に配置される。
【００２８】
［光源部の構成］
光源部４１０は、光源光を出射する。この光源部４１０は、第１光源４１０１、第２光源４１０２及び光合成部材４１０３と、２つの光源冷却部４１０４と、を有する。
第１光源４１０１は、ＬＭ平面に沿って配置され、＋Ｎ方向に光源光を出射する。この第１光源４１０１は、光源アレイＳＡと、当該光源アレイＳＡから出射された青色光を平行化するとともに縮径させる平行化素子（図示省略）と、を有する。
光源アレイＳＡは、ＬＤ（Laser Diode）である固体光源ＳＳがマトリクス状に複数配列された構成を有する。これら固体光源ＳＳは、光源光として例えばピーク波長が４４０ｎｍの青色光を出射するが、ピーク波長が４４６ｎｍの青色光や４６０ｎｍの青色光を出射してもよい。このような光源アレイＳＡから出射された光源光は、平行化素子により平行化されて、＋Ｚ方向に沿って光合成部材４１０３に入射される。
【００２９】
第２光源４１０２は、ＬＮ平面に沿って配置され、＋Ｍ方向に光源光を出射する。この第２光源４１０２は、詳しい図示を省略するが、第１光源４１０１と同様に、光源アレイＳＡ及び平行化素子を有する。
なお、第２光源４１０２の光源アレイＳＡに配列された固体光源ＳＳは、光源光として、上記第１光源４１０１の固体光源ＳＳと同じ波長の青色光を出射する。しかしながら、これに限らず、ピーク波長が異なる青色光をそれぞれ出射する固体光源を、第１光源４１０１及び第２光源４１０２に混在させてもよい。
また、本実施形態では、各固体光源ＳＳから出射される光源光は、ｓ偏光であるが、当該光源光は、ｐ偏光であってもよい。また、各光源４１０１，４１０２が、ｓ偏光の励起光を出射する固体光源ＳＳと、ｐ偏光の励起光を出射する固体光源ＳＳとを有する構成としてもよい。この場合、後述する第１位相差素子４１２を省略できる。
【００３０】
光合成部材４１０３は、第１光源４１０１から＋Ｎ方向に出射された光源光と、第２光源４１０２から＋Ｍ方向に出射された光源光とを合成して、＋Ｎ方向に出射する。
なお、光源部４１０は、第１光源４１０１のみ有する構成であってもよく、更に多くの光源を有する構成であってもよい。光源部４１０が第１光源４１０１のみ有する場合には、光合成部材４１０３を省略できる。
【００３１】
２つの光源冷却部４１０４のうち一方は、第１光源４１０１の光源アレイＳＡの光出射側とは反対側に設けられ、他方は、第２光源４１０２の光源アレイＳＡの光出射側とは反対側に設けられる。これら光源冷却部４１０４は、対応する光源アレイＳＡから伝達される熱を、内部を流通する液体冷媒である第３冷媒ＲＥ３（図５参照）に伝達することによって、当該光源アレイＳＡの各固体光源ＳＳを冷却する。これら光源冷却部４１０４に第３冷媒ＲＥ３を流通させる冷却装置５の構成については、後に詳述する。
【００３２】
［アフォーカル光学素子及び第１位相差素子の構成］
アフォーカル光学素子４１１は、レンズ４１１１，４１１２を有し、光源部４１０から入射される光源光を縮径した後、平行化して出射する。
第１位相差素子４１２は、１／２波長板である。この第１位相差素子４１２を通過することによって、アフォーカル光学素子４１１から入射されるｓ偏光の光源光は、一部がｐ偏光の光源光に変換されて、ｓ偏光とｐ偏光とが混在した光源光となる。
【００３３】
［ホモジナイザー光学素子の構成］
ホモジナイザー光学素子４１３は、２つのマルチレンズ４１３１，４１３２を有し、光拡散装置４１７及び波長変換装置４１９における被照明領域に入射される光源光の照度分布を均一化する。なお、ホモジナイザー光学素子４１３は、第１位相差素子４１２の光出射側に限らず、アフォーカル光学素子４１１と第１位相差素子４１２との間に配置されていてもよい。
【００３４】
［光合成素子の構成］
光合成素子４１４は、第１照明光軸Ａｘ１及び第２照明光軸Ａｘ２のそれぞれに対して略４５°傾斜した偏光分離層４１４１を有する。
偏光分離層４１４１は、ホモジナイザー光学素子４１３を介して入射される光源光に含まれるｓ偏光とｐ偏光とを分離する特性を有する他、波長変換装置４１９にて生じる蛍光を、当該蛍光の偏光状態に依らずに通過させる特性を有する。すなわち、偏光分離層４１４１は、青色光についてはｓ偏光とｐ偏光とを分離するが、緑色光及び赤色光についてはｓ偏光及びｐ偏光のそれぞれを通過させる、波長選択性の偏光分離特性を有する。
このように光分離素子としても機能する光合成素子４１４によって、ホモジナイザー光学素子４１３から入射された光源光のうち、ｐ偏光は、第１照明光軸Ａｘ１に沿って第２位相差素子４１５側に通過され、ｓ偏光は、第２照明光軸Ａｘ２に沿って第２集光素子４１８側に反射される。また、光合成素子４１４は、第２位相差素子４１５を介して入射される光源光と、第２集光素子４１８を介して入射される蛍光とを合成する。
【００３５】
［第２位相差素子及び第１集光素子の構成］
第２位相差素子４１５は、１／４波長板であり、光合成素子４１４から入射されるｐ偏光の光源光を円偏光の光源光に変換し、第１集光素子４１６から入射される光源光（当該円偏光とは逆廻りの円偏光）をｓ偏光に変換する。
第１集光素子４１６は、第２位相差素子４１５を通過した光源光を光拡散装置４１７に集光（集束）させ、また、光拡散装置４１７から入射される光源光を平行化する。この第１集光素子４１６は、３つのレンズ４１６１〜４１６３により構成されているが、第１集光素子４１６を構成するレンズの数は３に限らない。
【００３６】
［光拡散装置の構成］
光拡散装置４１７は、光拡散素子４１７１と、当該光拡散素子４１７１を回転させる回転装置４１７２と、を有する。
これらのうち、光拡散素子４１７１は、回転装置４１７２による回転軸を中心とする環状の反射層を有する。この反射層は、波長変換装置４１９にて生成及び出射される蛍光と同様の拡散角で、入射される光源光を拡散させる。具体的に、当該反射層は、入射光をランバート反射させる。
【００３７】
このような光拡散素子４１７１にて拡散反射された光源光は、第１集光素子４１６を介して再び第２位相差素子４１５に入射される。この光拡散素子４１７１にて反射される時に、当該光拡散素子４１７１に入射された円偏光は逆廻りの円偏光となり、第２位相差素子４１５を通過する過程にて、光合成素子４１４を通過するｐ偏光の光源光に対して偏光方向が９０°回転されたｓ偏光の光源光に変換される。このｓ偏光の光源光は、上記偏光分離層４１４１によって第２照明光軸Ａｘ２に沿うように反射され、第３位相差素子ＲＰを介して、後述する均一化装置４３に青色光として入射される。
【００３８】
［第２集光素子の構成］
第２集光素子４１８には、ホモジナイザー光学素子４１３を通過して上記偏光分離層４１４１にて反射されたｓ偏光の光源光が入射される。この第２集光素子４１８は、入射される光源光を波長変換装置４１９の被照明領域（後述する波長変換層４１９３）に集光し、また、当該波長変換装置４１９から入射される蛍光を平行化する。この第２集光素子４１８は、第１集光素子４１６と同様に、３つのレンズ４１８１〜４１８３により構成されているが、当該第２集光素子４１８が有するレンズの数は３に限らない。
【００３９】
［波長変換装置の構成］
波長変換装置４１９は、入射された光の波長を変換する波長変換素子４１９１と、当該波長変換素子４１９１を回転させる回転装置４１９５と、を有する。
波長変換素子４１９１は、円盤状の支持体４１９２と、当該支持体４１９２において光源光の入射側の面４１９２Ａに位置する波長変換層４１９３及び反射層４１９４と、を有する。
【００４０】
波長変換層４１９３は、上記光源光の入射によって励起されて非偏光光である蛍光（例えば５００〜７００ｎｍの波長域にピーク波長を有する蛍光）を拡散出射する蛍光体を含む蛍光体層である。すなわち、波長変換層４１９３は、入射される青色光を当該蛍光に波長変換する。このような波長変換層４１９３にて生じる蛍光の一部は、第２集光素子４１８側に出射され、他の一部は、反射層４１９４側に出射される。
反射層４１９４は、波長変換層４１９３と支持体４１９２との間に配置され、当該波長変換層４１９３から入射される蛍光を第２集光素子４１８側に反射させる。
【００４１】
このような波長変換素子４１９１から拡散出射された蛍光は、第２照明光軸Ａｘ２に沿って、第２集光素子４１８、偏光分離層４１４１及び第３位相差素子ＲＰを通過して、均一化装置４３に入射される。すなわち、当該蛍光は、偏光分離層４１４１を通過することにより、当該偏光分離層４１４１にて反射された青色光である光源光と合成され、白色の照明光として、第３位相差素子ＲＰを介して均一化装置４３に入射される。
【００４２】
［第３位相差素子の構成］
第３位相差素子ＲＰは、１／２波長板であり、光合成素子４１４から入射される照明光をｓ偏光及びｐ偏光が混在する円偏光に変換する。
【００４３】
このような光源装置４１の一部は、略密閉された筐体である第２密閉筐体５４１（図５参照）内に配置される。具体的に、冷却対象である光拡散装置４１７及び波長変換装置４１９は、後述する第２密閉筐体５４１内に配置される。そして、詳しくは後述するが、これら光拡散装置４１７及び波長変換装置４１９には、当該第２密閉筐体５４１内の気体冷媒である第４冷媒ＲＥ４が流通し、当該装置４１７，４１９は冷却される。
【００４４】
［画像形成装置の構成］
画像形成装置４２は、上記光源装置４１から入射される照明光を変調して、投射光学装置４８によって投射される画像を形成する。この画像形成装置４２は、図２に示すように、均一化装置４３、色分離装置４４、リレー装置４５、光学部品用筐体４６及び電気光学装置４７を有する。
【００４５】
［均一化装置の構成］
均一化装置４３は、光源装置４１から入射される照明光の照度分布を均一化する。このような均一化装置４３は、第１レンズアレイ４３１、第２レンズアレイ４３２、偏光変換素子４３３及び重畳レンズ４３４を有する。
これらのうち、偏光変換素子４３３は、入射される照明光をｓ偏光に揃えて出射する。なお、偏光変換素子４３３は、当該照明光をｐ偏光に揃えて出射する構成としてもよい。
【００４６】
［色分離装置の構成］
色分離装置４４は、均一化装置４３から入射される光束を、赤（Ｒ）、緑（Ｇ）及び青（Ｂ）の３つの色光に分離する。この色分離装置４４は、ダイクロイックミラー４４１，４４２、反射ミラー４４３を有する。この他、色分離装置４４は、ダイクロイックミラー４４１にて反射された青色光ＬＢが入射されるレンズ、及び、当該ダイクロイックミラー４４１を通過した緑色光ＬＧ及び赤色光ＬＲが入射されるレンズを備えていてもよい。
【００４７】
［リレー装置の構成］
リレー装置４５は、ダイクロイックミラー４４２を通過した赤色光ＬＲの光路上に設けられ、当該赤色光ＬＲを、赤色光ＬＲ用のフィールドレンズ４７１に導く。このリレー装置４５は、入射側レンズ４５１、反射ミラー４５２、リレーレンズ４５３及び反射ミラー４５４を備える。なお、本実施形態では、リレー装置４５は赤色光ＬＲを通す構成としたが、これに限らず、例えば青色光ＬＢを通す構成としてもよい。
【００４８】
［光学部品用筐体の構成］
光学部品用筐体４６は、内部に照明光軸Ａｘが設定された箱状筐体である。この光学部品用筐体４６内における照明光軸Ａｘ上の位置に、上記均一化装置４３、色分離装置４４及びリレー装置４５が配置される。光源装置４１は、上記第２照明光軸Ａｘ２が照明光軸Ａｘに対応するように配置され、また、電気光学装置４７及び投射光学装置４８も、当該照明光軸Ａｘに応じて配置される。
このような光学部品用筐体４６は、他の筐体と組み合わされて、後述する第１密閉筐体５１１を構成する。この第１密閉筐体５１１によって、内部が略密閉された第１空間Ｓ１が形成される。このような第１密閉筐体５１１内には、上記偏光変換素子４３３の他、電気光学装置４７が配置される。
【００４９】
［電気光学装置の構成］
電気光学装置４７は、分離された各色光を変調及び合成して、画像光を形成する。この電気光学装置４７は、色光毎にそれぞれ設けられるフィールドレンズ４７１と、画像形成ユニット４７２と、を有する。
フィールドレンズ４７１は、入射光を平行化するレンズであり、上記光学部品用筐体４６に形成された溝部に挿入されて配置される。
【００５０】
画像形成ユニット４７２は、３つの光変調装置６、２つの位相差素子４７３及び１つの光合成装置４７４が一体化されたものである。
光変調装置６（赤、緑及び青用の光変調装置を、それぞれ６Ｒ，６Ｇ，６Ｂとする）は、対応するフィールドレンズ４７１を介して入射される色光を変調して、画像情報に応じた画像を形成する。これら光変調装置６は、偏光板６１，６２と、これら偏光板６１，６２の間に配置される液晶パネル６３と、を有する。換言すると、光変調装置６は、液晶パネル６３と、当該液晶パネル６３に対して光入射側及び光出射側に位置する入射側偏光板６１及び出射側偏光板６２と、を有する。すなわち、光変調装置６は、液晶ライトバルブによって構成されている。
なお、本実施形態においては、光変調装置６Ｇは、第１光変調装置に相当し、光変調装置６Ｂ，６Ｒは、それぞれ第２光変調装置及び第３光変調装置に相当する。
【００５１】
これらのうち、液晶パネル６３は、詳しくは後述するが、内部を液体冷媒（後述する第２冷媒ＲＥ２）が流通可能に構成されている。そして、液晶パネル６３は、当該液晶パネル６３にて生じた熱の他、入射側偏光板６１及び出射側偏光板６２から伝達された熱を、当該液体冷媒に伝達して、これら液晶パネル６３及び各偏光板６１，６２を冷却する。
このような光変調装置６の構成については、後に詳述する。
【００５２】
光合成装置４７４は、各光変調装置６から出射された色光を合成して、上記画像を形成する。この光合成装置４７４は、本実施形態では、略直方体形状（略四角柱状）のクロスダイクロイックプリズムにより構成されている。このクロスダイクロイックプリズムは、４つの直角三角柱状のプリズムを貼り合わせた略直方体形状を有するプリズムであり、当該４つのプリズムの界面には、２つの誘電体多層膜ＤＭ１，ＤＭ２が位置する。
これら誘電体多層膜ＤＭ１，ＤＭ２のうち、誘電体多層膜ＤＭ１は、青色光ＬＢを反射させ、緑色光ＬＧ及び赤色光ＬＲを透過させる機能を有し、誘電体多層膜ＤＭ２は、赤色光ＬＲを反射させ、青色光ＬＢ及び緑色光ＬＧを透過させる機能を有する。
【００５３】
この光合成装置４７４は、各光変調装置６と対向し、かつ、当該各光変調装置６を通過した色光がそれぞれ入射される３つの入射面と、１つの出射面と、を有する。そして、各光変調装置６から各入射面を介して光合成装置４７４に入射された各色光のうち、青色光ＬＢ及び赤色光ＬＲは、上記誘電体多層膜ＤＭ１，ＤＭ２にて投射光学装置４８側に反射され、緑色光ＬＧは、当該誘電体多層膜ＤＭ１，ＤＭ２を投射光学装置４８側に通過する。これにより、各色光ＬＢ，ＬＧ，ＬＲが合成され、画像光が形成される。そして、当該画像光は、出射面から出射され、投射光学装置４８に入射される。
【００５４】
２つの位相差素子４７３のうち一方は、青色光ＬＢの光路において、光変調装置６Ｂと光合成装置４７４との間に配置され、他方は、赤色光ＬＲの光路において、光変調装置６Ｒと光合成装置４７４との間に配置される。これら位相差素子４７３は、１／２波長板であり、対応する光変調装置６Ｂ，６Ｒから入射される色光の偏光方向を９０°回転させる。これにより、位相差素子４７３を通過した青色光ＬＢ及び赤色光ＬＲは、誘電体多層膜ＤＭ１，ＤＭ２の反射に適した偏光光（反射時に損失が生じにくい偏光光）となる。
なお、緑色光ＬＧの光路において、光変調装置６Ｂと光合成装置４７４との間に位相差素子４７３が設けられていないのは、当該緑色光ＬＧは、誘電体多層膜ＤＭ１，ＤＭ２を透過することから、これら誘電体多層膜ＤＭ１，ＤＭ２での透過に適した偏光光（透過時に損失が生じにくい偏光光）とするためである。
【００５５】
図４は、画像形成ユニット４７２を光入射側から見た斜視図である。
このような画像形成ユニット４７２は、図４に示すように、光合成装置４７４の各入射面に設けられて、光変調装置６を保持する保持部材４７５を更に有する。これら保持部材４７５は、それぞれ、対応する光入射面に取り付けられる取付部４７５１と、それぞれ光変調装置６側に突出する４つの挿入部４７５２及び４つの腕部４７５３と、を有する。
これらのうち、挿入部４７５２は、光変調装置６に挿入された後、紫外線硬化接着剤等によって接着固定される。
【００５６】
腕部４７５３は、保持部材４７５の四隅で、挿入部４７５２より外側に位置し、当該挿入部４７５２より突出している。これら腕部４７５３は、挿入部４７５２が光変調装置６に挿入されるように、当該光変調装置６を案内する他、当該光変調装置６（詳しくは、液晶パネル６３のフレーム６５）を挟持する。
なお、図示を省略するが、３つの保持部材４７５のうち、光変調装置６Ｂ，６Ｒを保持する保持部材４７５は、それぞれ青色光ＬＢ及び赤色光ＬＲの光路上に配置される上記位相差素子４７３を保持する。
【００５７】
なお、図４に示すように、各光変調装置６の液晶パネル６３には、液体冷媒が流通するパイプＰ１，Ｐ２が接続されている。
光変調装置６Ｂに接続されたパイプＰ１，Ｐ２のうち、光変調装置６Ｇ側に位置するパイプＰ２は、光変調装置６Ｇに接続されたパイプＰ１，Ｐ２のうち、光変調装置６Ｂ側に位置するパイプＰ１と、中継パイプＰ３を介して接続されている。
また、光変調装置６Ｇに接続されたパイプＰ１，Ｐ２のうち、光変調装置６Ｒ側に位置するパイプＰ２は、光変調装置６Ｒに接続されたパイプＰ１，Ｐ２のうち、光変調装置６Ｇ側に位置するパイプＰ１と、中継パイプＰ４を介して接続されている。
そして、光変調装置６Ｂに接続されたパイプＰ１は、液体冷媒である第２冷媒ＲＥ２を供給する配管ＣＭ１２（図５参照）と中継パイプＰ５を介して接続され、光変調装置６Ｒに接続されたパイプＰ２は、配管ＣＭ２２（図５参照）と中継パイプＰ６を介して接続される。
【００５８】
このため、配管ＣＭ１２を介して供給される第２冷媒ＲＥ２は、光変調装置６Ｂ、光変調装置６Ｇ、光変調装置６Ｒの順に流通する。この第２冷媒ＲＥ２の流通順は、冷却の必要性が高い順に基づいて設定されている。しかしながら、第２冷媒ＲＥ２の流通順は、上記に限らず、各光変調装置６の配置等を考慮して、光変調装置６Ｂ，６Ｇ，６Ｒにおいて変更してもよい。なお、配管ＣＭ１２，ＣＭ２２については、後に詳述する。
【００５９】
［投射光学装置の構成］
図２に示す投射光学装置４８は、開口部２３１（図１参照）から一部が露出するように配置される。この投射光学装置４８は、光合成装置４７４（画像形成装置４２）から入射される画像光を上記被投射面上に拡大投射して、当該画像光により形成される画像を表示させる。このような投射光学装置４８は、鏡筒内に複数のレンズが配置された組レンズとして構成できる。
【００６０】
［冷却装置の構成］
図５は、冷却装置５の構成を示す模式図である。
冷却装置５は、プロジェクター１を構成する冷却対象を冷却する。この冷却装置５は、画像投射装置４を冷却する構成として、図５に示すように、第１循環流路５１、第２循環流路５２、第３循環流路５３及び第４循環流路５４を備える。これら循環流路５１〜５４は、気体冷媒又は液体冷媒を循環させて冷却対象を冷却する流路である。
以下、各循環流路５１〜５４について説明する。
【００６１】
［第１循環流路の構成］
第１循環流路５１は、第１密閉筐体５１１内の気体である第１冷媒ＲＥ１が循環する流路であり、当該第１冷媒ＲＥ１によって、冷却対象である光変調装置６及び偏光変換素子４３３を冷却する。この第１循環流路５１は、第１密閉筐体５１１、循環ファン５１２、送風ファン５１３〜５１５及び第１熱交換器５２１を備えて構成される。
なお、第１冷媒ＲＥ１は、気体であればよく、空気以外の気体（窒素ガスやヘリウムガス等）であってもよい。
【００６２】
第１密閉筐体５１１は、上記のように光学部品用筐体４６と他の筐体とが組み合わされて構成され、内部に上記第１空間Ｓ１を形成する。この第１密閉筐体５１１内には、光変調装置６及び偏光変換素子４３３と、循環ファン５１２、送風ファン５１３〜５１５及び第１熱交換器５２１と、が配置される。
第１熱交換器５２１は、第１循環流路５１及び第２循環流路５２を構成する。この第１熱交換器５２１は、内部を流通する第２冷媒ＲＥ２に第１冷媒ＲＥ１の熱を伝達することによって、当該第１冷媒ＲＥ１を冷却する。
循環ファン５１２は、第１熱交換器５２１にて冷却された第１冷媒ＲＥ１を第１密閉筐体５１１内にて循環させるファンである。
【００６３】
送風ファン５１３，５１４は、本実施形態では、光変調装置６毎にそれぞれ設けられ、対応する光変調装置６に第１冷媒ＲＥ１を流通させる。詳述すると、送風ファン５１３は、第２流通装置に相当し、対応する光変調装置６の入射側偏光板６１及び液晶パネル６３に第１冷媒ＲＥ１を流通させる。また、送風ファン５１４は、対応する光変調装置６の液晶パネル６３及び出射側偏光板６２に第１冷媒ＲＥ１を流通させる。なお、送風ファン５１３，５１４は、それぞれ１つずつ設けられ、送風ファン５１３によって流通される第１冷媒ＲＥ１を分流して各光変調装置６に流通させてもよく、送風ファン５１４によって流通される第１冷媒ＲＥ１を分流して各光変調装置６に流通させてもよい。
送風ファン５１５は、第１冷媒ＲＥ１を偏光変換素子４３３に流通させる。
【００６４】
このような第１循環流路５１では、偏光変換素子４３３及び各光変調装置６を冷却した第１冷媒ＲＥ１は、循環ファン５１２によって吸引されて第１熱交換器５２１に流通する。そして、第１熱交換器５２１によって冷却された第１冷媒ＲＥ１は、再度、光変調装置６及び偏光変換素子４３３に流通する。このように、第１冷媒ＲＥ１は、第１密閉筐体５１１内を循環する。
【００６５】
［第２循環流路の構成］
第２循環流路５２は、液体冷媒である第２冷媒ＲＥ２が循環する流路であり、第１冷媒ＲＥ１を冷却するとともに、各光変調装置６を冷却する。この第２循環流路５２は、上記第１熱交換器５２１、各光変調装置６（液晶パネル６３）、タンク５２２、ポンプ５５及び第２熱交換器５６と、これらを接続する複数の接続部材ＣＭと、を備えて構成される。
なお、複数の接続部材ＣＭは、内部を第２冷媒ＲＥ２が流通可能に形成された管状部材である。また、第２冷媒ＲＥ２としては、水やプロピレングリコール等の不凍液を例示できる。
【００６６】
第１熱交換器５２１は、上記のように、第２冷媒ＲＥ２が内部を流通する。
タンク５２２は、第２冷媒ＲＥ２を一時的に貯留する。このタンク５２２に貯留された第２冷媒ＲＥ２は、ポンプ５５によって吸引される。
【００６７】
ポンプ５５は、第１流通装置に相当する。このポンプ５５は、圧送部５５１及び流入室５５２，５５３を有する。
流入室５５２には、タンク５２２から第２冷媒ＲＥ２が流入される。この流入室５５２に流入された第２冷媒ＲＥ２は、圧送部５５１の駆動によって、第２熱交換器５６の受熱部５６１を介して第１熱交換器５２１に流通される。また、流入室５５３には、後述する第３循環流路５３を循環する第３冷媒ＲＥ３が流入されるが、当該流入室５５３に流入された第３冷媒ＲＥ３については、後に詳述する。
【００６８】
第２熱交換器５６は、ポンプ５５によって圧送された第２冷媒ＲＥ２が流通する受熱部５６１と、第３冷媒ＲＥ３が流通する放熱部５６２と、当該受熱部５６１によって受熱された第２冷媒ＲＥ２の熱を放熱部５６２に伝達する熱伝達部５６３と、を備える。この第２熱交換器５６によって、第３冷媒ＲＥ３に熱が伝達されて冷却された第２冷媒ＲＥ２は、上記第１熱交換器５２１に流通される。
【００６９】
ここで、複数の接続部材ＣＭのうち、第２熱交換器５６にて冷却された第２冷媒ＲＥ２が流通する接続部材ＣＭ１は、第１熱交換器５２１に接続される配管ＣＭ１１と、光変調装置６ＢのパイプＰ１（図４参照）に接続される配管ＣＭ１２と、これら配管ＣＭ１１，ＣＭ１２に第２冷媒ＲＥ２を分流する分岐部ＣＭ１３と、を有する。このような接続部材ＣＭ１の構成により、当該接続部材ＣＭ１に流入された第２冷媒ＲＥ２のうち、一部は第１熱交換器５２１に流通し、他の一部は各光変調装置６に流通する。すなわち、各光変調装置６は、第１冷媒ＲＥ１だけでなく、第２冷媒ＲＥ２によっても冷却される。
【００７０】
また、複数の接続部材ＣＭのうち、タンク５２２に第２冷媒ＲＥ２を流通させる接続部材ＣＭ２は、第１熱交換器５２１に接続される配管ＣＭ２１と、光変調装置６ＲのパイプＰ２に接続される配管ＣＭ２２と、これらを接続する合流部ＣＭ２３と、を有する。このような接続部材ＣＭ２によって、第１熱交換器５２１を流通した第２冷媒ＲＥ２と、各光変調装置６を流通した第２冷媒ＲＥ２とは、合流部ＣＭ２３にて合流されて、タンク５２２に流通する。
【００７１】
なお、図５では、１つの光変調装置６のみ図示しているが、本実施形態では、上記のように、配管ＣＭ１２を介して流通する第２冷媒ＲＥ２は、各光変調装置６Ｂ，６Ｇ，６Ｒを順に流通する。しかしながら、これに限らず、各光変調装置６に接続されたパイプＰ１を配管ＣＭ１２に接続し、各光変調装置６のパイプＰ２を配管ＣＭ２２に接続する構成としてもよい。
【００７２】
このような第２循環流路５２では、タンク５２２に貯留された第２冷媒ＲＥ２は、ポンプ５５によって吸引されて、第２熱交換器５６に圧送される。この第２熱交換器５６の受熱部５６１を流通して冷却された第２冷媒ＲＥ２は、接続部材ＣＭ１によって、第１熱交換器５２１及び各光変調装置６に流通する。これら第１熱交換器５２１及び各光変調装置６の熱が伝達された第２冷媒ＲＥ２は、接続部材ＣＭ２を介してタンク５２２に流入され、当該タンク５２２にて再度貯留される。このように、第２冷媒ＲＥ２は、第１熱交換器５２１及び各光変調装置６を冷却しつつ、第２循環流路５２を循環する。なお、上記のように、第２冷媒ＲＥ２の熱は、第２熱交換器５６にて第３冷媒ＲＥ３に伝達される。
【００７３】
［第４循環流路の構成］
ここで、第４循環流路５４について先に説明する。
第４循環流路５４は、気体である第４冷媒ＲＥ４を循環させて、冷却対象である光拡散装置４１７及び波長変換装置４１９を冷却する流路である。この第４循環流路５４は、第２密閉筐体５４１と、当該第２密閉筐体５４１内にそれぞれ配置される第３熱交換器５３３及び循環ファン５４２と、を備える。なお、第４冷媒ＲＥ４は、第１冷媒ＲＥ１と成分が同じでも異なっていてもよい。
【００７４】
第２密閉筐体５４１は、内部に略密閉された第２空間Ｓ２を形成する。この第２密閉筐体５４１内には、光拡散装置４１７及び波長変換装置４１９が配置される。これにより、光拡散装置４１７及び波長変換装置４１９への塵埃の付着が抑制される。
第３熱交換器５３３は、第４循環流路５４の他、第３循環流路５３を構成する。この第３熱交換器５３３は、内部を流通する第３冷媒ＲＥ３に第４冷媒ＲＥ４の熱を伝達させて、当該第４冷媒ＲＥ４を冷却する。
【００７５】
循環ファン５４２は、第２密閉筐体５４１内の第４冷媒ＲＥ４を循環させる。この循環ファン５４２は、第３熱交換器５３３にて冷却された第４冷媒ＲＥ４を光拡散装置４１７及び波長変換装置４１９に流通させ、これらを冷却する。
なお、図５においては、第４冷媒ＲＥ４は、光拡散装置４１７を流通した後、波長変換装置４１９に流通するように図示されている。しかしながら、第４冷媒ＲＥ４の流通順は逆でもよく、第４冷媒ＲＥ４の流路は、２つに分流された第４冷媒ＲＥ４が光拡散装置４１７及び波長変換装置４１９のそれぞれに流通する流路としてもよい。
【００７６】
［第３循環流路の構成］
第３循環流路５３は、液体冷媒である第３冷媒ＲＥ３を循環させて、第２冷媒ＲＥ２及び第４冷媒ＲＥ４を冷却する他、上記第１光源４１０１及び第２光源４１０２を冷却する流路である。この第３循環流路５３は、タンク５３１、ポンプ５５、第１ラジエータ５３２、第３熱交換器５３３、２つの光源冷却部４１０４、第２ラジエータ５３４及び第２熱交換器５６と、これらを接続する複数の接続部材ＣＮと、を備えて構成されている。
これらのうち、複数の接続部材ＣＮは、内部を第３冷媒ＲＥ３が流通可能な管状部材である。なお、第３冷媒ＲＥ３の成分は、第２冷媒ＲＥ２の成分と同じであってもよく、異なっていてもよい。
【００７７】
タンク５３１は、上記第２熱交換器５６の放熱部５６２と接続され、第３冷媒ＲＥ３を一時的に貯留する。
ポンプ５５は、上記圧送部５５１によって、タンク５３１から流入室５５３に流入された第３冷媒ＲＥ３を、接続部材ＣＮを介して第１ラジエータ５３２に圧送する。
【００７８】
第１ラジエータ５３２は、第３熱交換器５３３に流通する第３冷媒ＲＥ３を冷却する。具体的に、第１ラジエータ５３２は、ポンプ５５から圧送されて内部を流通する第３冷媒ＲＥ３から受熱した熱を、当該第１ラジエータ５３２に流通する冷却気体に伝達し、これにより、第３冷媒ＲＥ３を冷却する。なお、第１ラジエータ５３２に冷却気体を流通させる冷却ファンＦＮ４（図１参照）については、後に詳述する。
第３熱交換器５３３は、上記のように第２密閉筐体５４１内に配置され、第４冷媒ＲＥ４の熱を第３冷媒ＲＥ３に伝達して、当該第４冷媒ＲＥ４を冷却する。この第３熱交換器５３３を流通した第３冷媒ＲＥ３は、光源冷却部４１０４に流通する。
【００７９】
光源冷却部４１０４は、上記のように、第１光源４１０１及び第２光源４１０２（図３参照）のそれぞれに設けられている。これら光源冷却部４１０４のそれぞれには、接続部材ＣＮに設けられた分流部にて分流された第３冷媒ＲＥ３が流通する。そして、光源冷却部４１０４は、対応する光源アレイＳＡから伝達された熱を第３冷媒ＲＥ３に伝達して、当該光源アレイＳＡ（固体光源ＳＳ）を冷却する。これら光源冷却部４１０４を流通した第３冷媒ＲＥ３は、接続部材ＣＮに設けられた合流部にて合流され、第２ラジエータ５３４に流通する。
【００８０】
第２ラジエータ５３４は、当該第２ラジエータ５３４に流通される冷却気体に、内部を流通する第３冷媒ＲＥ３の熱を伝達して、当該第３冷媒ＲＥ３を冷却する。この第２ラジエータ５３４によって冷却された第３冷媒ＲＥ３は、上記第２熱交換器５６の放熱部５６２に流通される。なお、第２ラジエータ５３４に冷却気体を流通させる冷却ファンＦＮ５（図１参照）については、後に詳述する。
【００８１】
このような第３循環流路５３では、タンク５３１に貯留された第３冷媒ＲＥ３は、ポンプ５５によって圧送され、第１ラジエータ５３２を介して、第２密閉筐体５４１内の第３熱交換器５３３に供給される。この第３熱交換器５３３によって第４冷媒ＲＥ４が冷却され、当該第３熱交換器５３３を流通した第３冷媒ＲＥ３は、各光源冷却部４１０４を流通して、光源４１０１，４１０２（光源アレイＳＡ）を冷却する。これら光源冷却部４１０４を流通した第３冷媒ＲＥ３は、第２ラジエータ５３４にて冷却された後、第２熱交換器５６の放熱部５６２に流通する。この放熱部５６２にて第２冷媒ＲＥ２の熱が伝達された第３冷媒ＲＥ３は、タンク５３１に再度貯留される。このように、第３冷媒ＲＥ３は、第３循環流路５３を循環する。
【００８２】
［ファンの配置］
冷却装置５は、上記構成の他、図１に示すように、外装筐体２内にそれぞれ設けられる吸気ファンＦＮ１，ＦＮ２、排気ファンＦＮ３及び冷却ファンＦＮ４，ＦＮ５を備える。
吸気ファンＦＮ１，ＦＮ２は、それぞれ導入口２３２，２３３に応じて設けられ、当該導入口２３２，２３３を介して、外装筐体２外の気体を冷却気体として内部に導入する。
排気ファンＦＮ３は、排出口２４１に応じて設けられ、外装筐体２内を流通して、冷却対象を冷却した冷却気体を、当該排出口２４１を介して外装筐体２の外部に排出する。
【００８３】
冷却ファンＦＮ４，ＦＮ５は、それぞれ排出口２４２に応じて設けられている。これら冷却ファンＦＮ４，ＦＮ５によって流通される冷却気体の上流側（すなわち＋Ｎ方向側）には、上記第１ラジエータ５３２及び第２ラジエータ５３４が配置される。
これら冷却ファンＦＮ４，ＦＮ５が駆動されると、外装筐体２内に導入された冷却気体が第１ラジエータ５３２及び第２ラジエータ５３４に流通し、これらラジエータ５３２，５３４によって、第３冷媒ＲＥ３の熱が、流通する冷却気体に伝達される。これにより、第３冷媒ＲＥ３が冷却される。そして、ラジエータ５３２，５３４を流通した冷却気体は、冷却ファンＦＮ４，ＦＮ５によって、排出口２４２から外装筐体２外に排出される。
【００８４】
［光変調装置の構成］
図６は、光変調装置６を光入射側から見た分解斜視図である。
光変調装置６は、上記のように、入射側偏光板６１、出射側偏光板６２及び液晶パネル６３の他、図６に示すように、入射側取付部材６６及び出射側取付部材６９を備える。
以下の説明では、それぞれの光変調装置６において、当該光変調装置６を通過する光の進行方向を＋Ｚ方向とし、当該＋Ｚ方向に対してそれぞれ交差し、かつ、互いに交差する二方向を＋Ｘ方向及び＋Ｙ方向とする。これらのうち、＋Ｘ方向を、液晶パネル６３が有する長方形状の変調領域ＭＡの長辺方向とし、＋Ｙ方向を当該変調領域ＭＡの短辺方向とする。より具体的には、液晶パネル６３に対向する位置から見て、＋Ｙ方向を、当該短辺方向に沿って下から上に向かう方向とし、＋Ｘ方向を、当該長辺方向に沿って左から右に向かう方向とする。また、図示を省略するが、＋Ｚ方向とは反対方向を−Ｚ方向とする。−Ｘ方向及び−Ｙ方向も同様である。このように、＋Ｚ方向、＋Ｘ方向及び＋Ｙ方向は、光変調装置６毎に規定される方向である。
なお、本実施形態では、＋Ｚ方向、＋Ｘ方向及び＋Ｙ方向は、互いに直交する方向と規定している。
【００８５】
［出射側偏光板及び出射側取付部材の構成］
ここで、出射側偏光板６２及び出射側取付部材６９について先に説明する。
出射側偏光板６２は、ワイヤーグリッド偏光素子であり、上記のように、液晶パネル６３に対して光出射側に配置される。この出射側偏光板６２は、液晶パネル６３から入射される光のうち、当該出射側偏光板６２の透過軸に沿った偏光成分の光を透過させ、当該透過軸に対して面内にて直交する吸収軸に沿った偏光成分の光を吸収する。
【００８６】
出射側取付部材６９は、出射側偏光板６２を保持するとともに、液晶パネル６３における光出射側（＋Ｚ方向側）の面に取り付けられる。この出射側取付部材６９は、光入射側（−Ｚ方向側）から見て略Ｈ字状に形成された金属製部材である。このような出射側取付部材６９は、開口部６９１と、孔部６９２と、保持部６９３と、を有する。
開口部６９１は、出射側取付部材６９における略中央に位置し、液晶パネル６３を通過した光が通過する矩形状の開口部である。
孔部６９２は、出射側取付部材６９の四隅部分にそれぞれ形成されている。これら孔部６９２には、上記保持部材４７５の挿入部４７５２が挿入される。
保持部６９３は、出射側取付部材６９において光出射側に位置し、出射側偏光板６２を保持する。なお、保持部６９３は、光学補償板（視野角補償板）も保持可能に構成されており、当該保持部６９３は、当該光学補償板のＸＹ平面に対する±Ｚ方向への傾きを調整可能である。
【００８７】
［液晶パネルの構成］
液晶パネル６３は、図６に示すように、パネル本体６４及びフレーム６５を有する。
パネル本体６４は、入射側偏光板６１を介して入射される色光を、フレキシブルプリント基板ＦＰＣを介して上記制御装置から入力される画像情報（画像信号を含む）に応じて変調する。このパネル本体６４は、詳しい図示を省略するが、一対の基板間に液晶分子が封入された構造を有し、当該液晶分子が封入された領域が、当該色光を変調可能な変調領域ＭＡであり、画像を形成する画像形成領域である。このような変調領域ＭＡは、当該変調領域ＭＡに対向する位置から見て長方形状に形成されている。
【００８８】
フレーム６５は、パネル本体６４を囲んで保持する金属製の筐体である。このフレーム６５は、パネル本体６４の側方（±Ｘ方向側及び±Ｙ方向側）を囲むとともに、当該パネル本体６４の光出射側（＋Ｚ方向側）の一部を覆うフレーム本体６５１と、当該パネル本体６４の一部を光入射側から覆って当該フレーム本体６５１に取り付けられるカバー部材６５２と、を有する。
【００８９】
図７は、入射側偏光板６１及び入射側取付部材６６と、液晶パネル６３とを光入射側から見た分解斜視図である。
フレーム本体６５１は、図７に示すように、内部にパネル本体６４が配置される矩形凹状の配置部６５１１を有する他、当該配置部６５１１の周縁に沿って形成された溝部６５１２を有する。
溝部６５１２は、配置部６５１１に配置されたパネル本体６４の矩形状の変調領域ＭＡにおける一対の長辺のうち−Ｙ方向側の長辺と一対の短辺とに沿う略Ｕ字状に形成されている。この溝部６５１２は、フレーム本体６５１にカバー部材６５２が取り付けられた際に、上記第２冷媒ＲＥ２が流通する流路ＦＰ１を形成する。
【００９０】
また、フレーム本体６５１は、＋Ｙ方向側で＋Ｘ方向における両端に、上記パイプＰ１，Ｐ２と接続される接続部６５１３，６５１４を有する。
具体的に、＋Ｘ方向側に位置する接続部６５１３は、上記パイプＰ１と接続され、−Ｘ方向側に位置する接続部６５１４は、上記パイプＰ２と接続される。そして、パイプＰ１を流通した第２冷媒ＲＥ２は、接続部６５１３を介して略Ｕ字状の流路ＦＰ１を流通し、接続部６５１４を介してパイプＰ２に排出される。
【００９１】
カバー部材６５２は、フレーム本体６５１と組み合わされて、上記流路ＦＰ１を形成する。このカバー部材６５２の光入射側の面６５２Ａには、後述する入射側取付部材６６の支持部材６７が取り付けられる。
なお、カバー部材６５２には、フレーム６５内に配置されたパネル本体６４に、入射側偏光板６１を通過した色光を入射させる矩形状の開口部６５２１が形成されている。このため、支持部材６７は、当該面６５２Ａにおいて開口部６５２１を除いた位置に取り付けられる。具体的に、面６５２Ａにおいて開口部６５２１に対する＋Ｘ方向側及び−Ｘ方向側の領域が、支持部材６７との接続領域６５２２として規定され、当該接続領域６５２２には、支持部材６７が接着されるテープＴＰが配置される。
【００９２】
［入射側偏光板の構成］
入射側偏光板６１は、図６及び図７に示すように、偏光板本体６１１及び透光性基板６１２を有する。
偏光板本体６１１は、直線状のワイヤーが平面内にて複数配列されたグリッド構造を有するワイヤーグリッド偏光素子である。この偏光板本体６１１は、入射される光のうち、当該偏光板本体６１１の透過軸ＴＡに沿った偏光成分の光を透過させ、当該透過軸ＴＡに対して面内にて直交する吸収軸ＡＡに沿った偏光成分の光を吸収する。ワイヤーグリッド偏光素子である偏光板本体６１１においては、透過軸ＴＡは、上記ワイヤーの延出方向に直交する軸であり、吸収軸ＡＡは、当該ワイヤーの延出方向に沿う軸である。
なお、本実施形態では、上記位相差素子４７３が光変調装置６Ｂ，６Ｒの光出射側に配置されていることから、各光変調装置６Ｂ，６Ｇ，６Ｒには、偏光方向がそれぞれ同じ偏光光が入射される。このため、光変調装置６Ｂ，６Ｇ，６Ｒが有する偏光板本体６１１の透過軸ＴＡの延出方向は、それぞれの光変調装置６Ｂ，６Ｇ，６Ｒで同じであり、本実施形態では、当該透過軸ＴＡは、＋Ｙ方向に沿う方向に規定されている。
【００９３】
透光性基板６１２は、偏光板本体６１１に対して光入射側に配置される。具体的に、透光性基板６１２は、光入射側から見て偏光板本体６１１を覆うように配置され、透光性基板６１２における光出射側の面が、偏光板本体６１１における光入射側の面と面接触する。この透光性基板６１２は、偏光板本体６１１から伝達される熱を放出して、当該偏光板本体６１１を冷却する。このような透光性基板６１２として、透光性及び熱伝導性が比較的高いサファイア基板を例示できる。
【００９４】
［入射側取付部材の構成］
図８は、入射側偏光板６１及び入射側取付部材６６と、液晶パネル６３とを光出射側から見た分解斜視図である。また、図９は、入射側偏光板６１及び入射側取付部材６６を光出射側から見た斜視図である。
入射側取付部材６６は、入射側偏光板６１を保持して液晶パネル６３（カバー部材６５２）に取り付けるものであり、本発明の取付部材に相当する。この入射側取付部材６６は、図６〜図９に示すように、液晶パネル６３に取り付けられる支持部材６７と、一対の挟持部材６８と、を備えて構成されている。
【００９５】
［支持部材の構成］
支持部材６７は、図８及び図９に示すように、略矩形枠状に形成された金属製部材であり、板金を折曲加工して形成される。この支持部材６７は、中央に位置する矩形状の開口部６７１と、±Ｘ方向側に位置する一対の接続部６７２と、±Ｙ方向側に位置する一対の被挟持部６７３と、を有する。
開口部６７１は、入射側偏光板６１を通過した色光が通過する開口部である。
一対の接続部６７２は、それぞれ、ＸＹ平面に沿う平板状に形成されている。これら接続部６７２は、上記カバー部材６５２の接続領域６５２２に上記テープＴＰによって取り付けられる。すなわち、支持部材６７は、カバー部材６５２（フレーム６５）に対して上記変調領域ＭＡの一対の短辺に応じた位置に接続される。
一対の被挟持部６７３は、一対の接続部６７２に対して光入射側（−Ｚ方向側）に位置し、ＸＹ平面に沿う平板状に形成されている。これら被挟持部６７３のそれぞれは、一対の挟持部材６８のうち対応する挟持部材６８によって、入射側偏光板６１とともに＋Ｚ方向に沿って挟持される。
【００９６】
このように、支持部材６７においては、一対の接続部６７２が互いに対向する方向（±Ｚ方向）と、一対の被挟持部６７３が互いに対向する方向（±Ｙ方向）とは、交差（直交）する。このため、＋Ｚ方向において、一対の接続部６７２が含まれるＸＹ平面と、一対の被挟持部６７３が含まれるＸＹ平面との間に空隙を形成しやすくすることができる。この空隙には、上記送風ファン５１３から供給された第１冷媒ＲＥ１が流通する。この第１冷媒ＲＥ１の流路については、後に詳述する。
【００９７】
［挟持部材の構成］
一対の挟持部材６８は、入射側偏光板６１と上記支持部材６７の被挟持部６７３とを挟持して、これらを一体化する。これらのうち、一方の挟持部材６８は、入射側偏光板６１の＋Ｙ方向側の端縁に沿って配置され、他方の挟持部材６８は、−Ｙ方向側の端縁に沿って配置される。すなわち、これら挟持部材６８は、図９に示すように、入射側偏光板６１の側面のうち、＋Ｙ方向に沿う透過軸ＴＡに交差する側面である＋Ｙ方向側の側面６１Ａ及び−Ｙ方向側の側面６１Ｂ（上記ワイヤーの延出方向に沿う側面６１Ａ，６１Ｂ）に配置される。
これら挟持部材６８は、図７及び図８に示すように、それぞれ、第１対向部６８１、第２対向部６８２及び接続部６８３を有する。なお、接続部６８３は、第１対向部６８１と第２対向部６８２とを接続する。
【００９８】
第１対向部６８１は、挟持部材６８において光入射側に位置し、第２対向部６８２は、光出射側に位置する。これら第１対向部６８１及び第２対向部６８２は、＋Ｚ方向において互いに対向している。
第１対向部６８１は、当該第１対向部６８１における長手方向両端に設けられる一対の押圧部６８１１を有する。これら押圧部６８１１は、板ばね状に形成されており、透光性基板６１２の光入射面に当接し、当該透光性基板６１２を＋Ｚ方向に押圧する。
第２対向部６８２は、挟持部材６８の光出射側の両端に位置し、上記支持部材６７における被挟持部６７３の光出射側の面に当接する。これら第２対向部６８２は、＋Ｚ方向において上記一対の押圧部６８１１のそれぞれと対向しており、当該一対の押圧部６８１１による押圧力を受ける部分となる。
このような挟持部材６８によって、入射側偏光板６１及び支持部材６７が挟持されて、当該入射側偏光板６１と入射側取付部材６６とが一体化される。なお、このような構成では、光入射側から第１対向部６８１（押圧部６８１１）、透光性基板６１２、偏光板本体６１１、支持部材６７（被挟持部６７３）、第２対向部６８２の順に配置される。
【００９９】
［偏光板の冷却］
一般的に、透過軸に直交する吸収軸に沿った偏光成分の光を吸収する偏光板では、吸収される光によって熱が生じやすい。一方、偏光板の偏光特性は熱によって劣化しやすい。このため、偏光板は、効果的に冷却する必要がある。
本実施形態で言えば、同様の理由によって、入射側偏光板６１の偏光板本体６１１と出射側偏光板６２とは、効果的に冷却する必要がある。
【０１００】
本実施形態では、上記のように、偏光板本体６１１にて生じた熱の一部は、当該偏光板本体６１１に面接触する透光性基板６１２に伝達されて放熱される。
また、偏光板本体６１１にて生じた熱の他の一部は、当該偏光板本体６１１と接続される支持部材６７に伝達され、当該支持部材６７を介して、液晶パネル６３において第２冷媒ＲＥ２が流通するフレーム６５に伝達される。これにより、偏光板本体６１１にて生じた熱が第２冷媒ＲＥ２に伝達され、偏光板本体６１１が冷却される。
なお、パネル本体６４にて生じた熱も当該第２冷媒ＲＥ２に伝達されるので、パネル本体６４も同様に冷却される。
【０１０１】
図１０は、光変調装置６におけるＸＺ平面に沿う断面図である。また、図１１は、光変調装置６におけるＹＺ平面に沿う断面図である。なお、図１０及び図１１においては、出射側偏光板６２の図示を省略している。
更に、上記フレーム６５において光入射側に位置するカバー部材６５２の光入射側の面６５２Ａ（すなわち、フレーム６５において支持部材６７が接続される面６５２Ａ）と、偏光板本体６１１との間には、図１０に示すように、気体冷媒が流通可能な空隙ＧＰが形成されている。そして、上記のように、入射側偏光板６１及び液晶パネル６３には、上記送風ファン５１３から気体冷媒である第１冷媒ＲＥ１が供給される。
このため、図１１に示すように、第１冷媒ＲＥ１が、偏光板本体６１１と面６５２Ａとの間の空隙ＧＰを＋Ｙ方向に流通する。この第１冷媒ＲＥ１に、入射側偏光板６１（偏光板本体６１１）の熱及び液晶パネル６３（パネル本体６４）の熱が伝達されることによって、これら入射側偏光板６１及び液晶パネル６３が冷却される。
【０１０２】
なお、出射側偏光板６２にて生じた熱の一部は、金属製の出射側取付部材６９を介してフレーム６５に伝達される。これにより、当該フレーム６５内を流通する第２冷媒ＲＥ２に当該熱が伝達され、出射側偏光板６２が冷却される。
また、図示を省略するが、上記送風ファン５１４から送出された第１冷媒ＲＥ１は、液晶パネル６３と出射側偏光板６２との間を流通する。この第１冷媒ＲＥ１に、出射側偏光板６２及び液晶パネル６３（パネル本体６４）の熱が伝達されることによって、これら出射側偏光板６２及び液晶パネル６３が冷却される。
【０１０３】
［挟持部材の位置］
図１２は、光変調装置６を光入射側（−Ｚ方向側）から見た図であり、換言すると、挟持部材６８と偏光板本体６１１の透過軸ＴＡとの位置関係を示す図である。なお、図１２においては、入射側偏光板６１の偏光板本体６１１を構成するワイヤーＷＲの一部のみ図示している。
上記のように、各光変調装置６には、同じ偏光方向の光が入射される。そして、入射側偏光板６１において透過軸ＴＡは、図１２に示すように、＋Ｙ方向に沿う軸として規定されている。また、上記一対の挟持部材６８は、入射側偏光板６１において互いに反対側の側面に応じて配置される。
【０１０４】
ここで、挟持部材６８の押圧部６８１１によって入射側偏光板６１が＋Ｚ方向に押圧されると、偏光板本体６１１の内部構造に破損が生じる可能性がある。
このような破損が生じた場合、偏光板本体６１１は、ワイヤーグリッド偏光素子であるので、当該破損は、当該ワイヤーグリッド偏光素子を構成するワイヤーＷＲの延出方向に沿って広がり得る。そして、当該ワイヤーＷＲの延出方向は、透過軸ＴＡに対する直交方向である。
このため、挟持部材６８が、入射側偏光板６１の側面のうち、透過軸ＴＡに沿う側面（ワイヤーＷＲに交差する側面である±Ｘ方向側の側面）に配置されていると、当該破損がワイヤーＷＲに沿って広がった場合に、偏光板本体６１１での破損箇所が、当該偏光板本体６１１における光の透過領域内に位置するおそれがある。このような場合には、偏光板本体６１１の偏光特性が変化して、本来であれば遮蔽（吸収）される偏光光を透過してしまう可能性が生じる。
【０１０５】
これに対し、本実施形態では、一対の挟持部材６８は、入射側偏光板６１の透過軸ＴＡに交差する側面６１Ａ，６１Ｂ（ワイヤーＷＲの延出方向に沿う側面である±Ｙ方向側の側面６１Ａ，６１Ｂ）に配置されている。換言すると、光変調装置６を光入射側から見た場合に、一対の挟持部材６８のそれぞれは、液晶パネル６３の変調領域ＭＡにおける一対の長辺のそれぞれに応じた位置に配置される。
このため、上記破損が生じ、当該破損がワイヤーＷＲに沿って広がった場合でも、偏光板本体６１１における破損箇所が、上記透過領域内に位置することを抑制できる。従って、偏光板本体６１１の偏光特性を維持でき、入射側偏光板６１、ひいては、光変調装置６の信頼性が損なわれることを抑制できる。
【０１０６】
本実施形態に係るプロジェクター１は、以下の効果がある。
液晶パネル６３は、第１流通装置としてのポンプ５５によって圧送された第２冷媒ＲＥ２が流通する流路ＦＰ１（第１流路）を内部に有するフレーム６５を備える。この流路ＦＰ１は、パネル本体６４の変調領域ＭＡの外側で、当該変調領域ＭＡにおける一対の長辺のうち一方と一対の短辺とに沿って略Ｕ字状に形成されている。また、入射側偏光板６１は、偏光板本体６１１と透光性基板６１２とを有し、当該入射側偏光板６１は、取付部材としての入射側取付部材６６によって当該液晶パネル６３に取り付けられる。
これらのうち、入射側取付部材６６は、上記フレーム６５における光入射側の面６５２Ａに取り付けられる支持部材６７と、入射側偏光板６１及び支持部材６７を挟持する一対の挟持部材６８と、を有する。そして、光変調装置６を光入射側から見た場合、各挟持部材６８は、変調領域ＭＡの±Ｙ方向側の長辺に応じた位置に配置される。また、枠状の支持部材６７は、上記面６５２Ａにおいて、変調領域ＭＡの外側で、かつ、当該変調領域ＭＡの±Ｘ方向側の短辺のそれぞれに沿う接続領域６５２２に接続される。
【０１０７】
これによれば、偏光板本体６１１にて生じた熱の一部を、当該偏光板本体６１１に対する光入射側にて面接触する透光性基板６１２にて放熱できる。これにより、偏光板本体６１１を冷却できる。
また、偏光板本体６１１にて生じた熱の他の一部は、支持部材６７を介してフレーム６５に伝達される。このフレーム６５内の流路ＦＰ１は上記のように形成されているので、支持部材６７から熱が伝達される接続領域６５２２に、第２冷媒ＲＥ２を流通させることができる。これにより、フレーム６５に伝達された偏光板本体６１１の熱を、第２冷媒ＲＥ２に効果的に伝達させることができる。
更に、各挟持部材６８は、変調領域ＭＡの外側で、かつ、当該変調領域ＭＡに対して±Ｙ方向側に配置される。これによれば、支持部材６７において、各挟持部材６８によって挟持される被挟持部６７３の位置と、フレーム６５に接続される接続部６７２の位置とを異ならせることができるので、フレーム６５と偏光板本体６１１との間に空隙ＧＰを形成しやすくすることができる。この空隙ＧＰを流通する気体冷媒である第１冷媒ＲＥ１に、フレーム６５及び偏光板本体６１１の熱を伝達できる。
このように、偏光板本体６１１の熱を分散させた上で、当該熱を気体冷媒である第１冷媒ＲＥ１及び液体冷媒である第２冷媒ＲＥ２に効率よく伝達させることができる。従って、偏光板本体６１１、ひいては、入射側偏光板６１を効率よく冷却できる。
【０１０８】
偏光板本体６１１は、ワイヤーグリッド偏光素子である。また、各挟持部材６８は、入射側偏光板６１の側面のうち、透過軸ＴＡに交差（直交）する側面６１Ａ，６１Ｂ、すなわち、ワイヤーＷＲの延出方向に沿う側面６１Ａ，６１Ｂに応じて設けられている。これによれば、上記のように、挟持部材６８による押圧力によって偏光板本体６１１に破損が生じ、当該破損がワイヤーＷＲに沿って広がる場合でも、破損箇所が偏光板本体６１１における光の透過領域内に位置することを抑制できる。従って、入射側偏光板６１、ひいては、プロジェクター１の信頼性が低下することを抑制できる。
【０１０９】
第２及び第３光変調装置としての光変調装置６Ｂ，６Ｒと、光合成装置４７４との間には、位相差素子４７３が設けられている。これによれば、光合成装置４７４にて反射される青色光及び赤色光（第２光及び第３光）を、当該光合成装置４７４での反射に適した偏光方向の光（反射の際に損失が生じにくい偏光方向の光）とすることができる。また、光合成装置４７４を透過して、青色光及び赤色光と合成される緑色光ＬＧ（第１光）を、光合成装置４７４での透過に適した偏光方向の光（透過の際に損失が生じにくい偏光方向の光）とすることができる。従って、光合成装置４７４にて青色光ＬＢ、緑色光ＬＧ及び赤色光ＬＲの損失が生じることを抑制できる。
【０１１０】
位相差素子４７３は、光変調装置６Ｂ，６Ｒの光出射側に配置されている。これによれば、各光変調装置６Ｂ，６Ｇ，６Ｒには、波長は異なるものの偏光方向が同じ色光を入射させることができる。このため、各光変調装置６Ｂ，６Ｇ，６Ｒにおいて、支持部材６７及び挟持部材６８の配置を統一できる。従って、プロジェクター１の構成を簡略化できる。
【０１１１】
冷却装置５は、第２流通装置としての送風ファン５１３を有し、当該送風ファン５１３から送出された第１冷媒ＲＥ１は、変調領域ＭＡにおける一方の長辺から他方の長辺に向かう方向である＋Ｙ方向に、入射側偏光板６１（偏光板本体６１１）と液晶パネル６３（フレーム６５）との間を流通する。これによれば、第２冷媒ＲＥ２だけでなく気体冷媒である第１冷媒ＲＥ１にも、これら入射側偏光板６１及び液晶パネル６３のそれぞれにて生じた熱を確実に伝達させることができる。従って、これら入射側偏光板６１及び液晶パネル６３を一層効果的に冷却できる。
なお、送風ファン５１３から流通される第１冷媒ＲＥ１は、＋Ｙ方向に流通してもよい。この場合でも、上記と同様の効果を奏することができる。
【０１１２】
［第２実施形態］
次に、本発明の第２実施形態について説明する。
本実施形態に係るプロジェクターは、上記第１実施形態にて示したプロジェクター１と同様の構成を備えるが、位相差素子の位置が異なる点、液体冷媒が流通する流路ＦＰ１に加えて他の流路がフレームに形成されている点、及び、支持部材６７及び挟持部材６８の向きが異なる点にて、本実施形態に係るプロジェクターと当該プロジェクター１とは相違する。なお、以下の説明では、既に説明した部分と同一又は略同一である部分については、同一の符号を付して説明を省略する。
【０１１３】
図１３は、本実施形態に係るプロジェクターが備える画像投射装置４Ａを示す模式図である。
本実施形態に係るプロジェクターは、画像投射装置４に代えて画像投射装置４Ａを有する他は、上記プロジェクター１と同様の構成及び機能を有する。
この画像投射装置４Ａは、図１３に示すように、光変調装置６に代えて光変調装置６Ａ（赤、緑及び青用の光変調装置を、それぞれ６ＡＲ，６ＡＧ，６ＡＢとする）を有し、更に位相差素子４７３の配置位置が異なる他は、上記画像投射装置４と同様の構成及び機能を有する。
【０１１４】
画像投射装置４Ａにおいては、位相差素子４７３は、青色光ＬＢ及び赤色光ＬＲのそれぞれの光路上で、かつ、対応する光変調装置６ＡＢ，６ＡＲの偏光板本体６１１に対する光入射側に位置する。詳述すると、青色光ＬＢの光路上に設けられる位相差素子４７３は、フィールドレンズ４７１と光変調装置６ＡＢの偏光板本体６１１との間に配置され、赤色光ＬＲの光路上に設けられる位相差素子４７３は、フィールドレンズ４７１と光変調装置６ＡＲの偏光板本体６１１との間に配置される。
【０１１５】
青色光ＬＢ及び赤色光ＬＲの光路上に設けられる位相差素子４７３は、入射側偏光板６１の透光性基板６１２に代えて採用されている。すなわち、本実施形態では、光変調装置６ＡＢ，６ＡＲは、入射側偏光板６１に代えて入射側偏光板６１０を有し、当該入射側偏光板６１０は、偏光板本体６１１と、当該偏光板本体６１１に対する光入射側に位置し、当該偏光板本体６１１と接触する位相差素子４７３と、を有する。そして、当該位相差素子４７３は、偏光板本体６１１から伝達された熱を放出する機能を備えた透光性基板と、当該透光性基板上に位置する位相差層とを有する。このため、位相差素子４７３は、本発明の透光性基板としても機能する。このような透光性基板としては、上記透光性基板６１２と同様に、サファイア基板を例示できる。
なお、光変調装置６ＡＧについては、上記光変調装置６Ｇと同様に、偏光板本体６１１及び透光性基板６１２を有する入射側偏光板６１を備える。
【０１１６】
このような位相差素子４７３が、光変調装置６ＡＢ，６ＡＲにおける偏光板本体６１１に対する光入射側に位置する。このため、光変調装置６ＡＧの偏光板本体６１１に入射される緑色光ＬＧの偏光方向と、光変調装置６ＡＢ，６ＡＲのそれぞれの偏光板本体６１１に入射される青色光ＬＢ及び赤色光ＬＲの偏光方向とは、異なる。そして、これに応じて、光変調装置６ＡＧが有する入射側偏光板６１には、上記光変調装置６Ｇと同様に、透過軸ＴＡが＋Ｙ方向に沿い、ワイヤーＷＲの延出方向が＋Ｘ方向に沿う偏光板本体６１１が採用されるのに対し、光変調装置６ＡＢ，６ＡＲが有する入射側偏光板６１には、透過軸ＴＡが＋Ｘ方向に沿い、ワイヤーＷＲの延出方向が＋Ｙ方向に沿う偏光板本体６１１が採用される。
【０１１７】
図１４は、フレーム本体６５１Ａからカバー部材６５２を取り外した状態の光変調装置６Ａを光入射側から見た斜視図である。なお、図１４においては、入射側偏光板６１及び入射側取付部材６６の図示を省略している。
光変調装置６Ａは、フレーム６５に代えてフレーム６５Ａを有する他は、上記光変調装置６と同様の構成を有する。一方、上記のように、光変調装置６ＡＧは、入射側偏光板６１を有するが、光変調装置６ＡＢ，６ＡＲは、それぞれ入射側偏光板６１０を有する。また、光変調装置６ＡＧと、光変調装置６ＡＢ，６ＡＲとでは、入射側取付部材６６を構成する支持部材６７及び挟持部材６８の向きが異なる。これについては、後に詳述する。
フレーム６５Ａは、フレーム６５と同様に、パネル本体６４を囲んで保持する金属製の筐体である。このフレーム６５Ａは、図１４に示すように、パネル本体６４の側方を囲むとともに、当該パネル本体６４の光出射側の一部を覆うフレーム本体６５１Ａと、上記カバー部材６５２と、を有する。
【０１１８】
フレーム本体６５１Ａは、上記フレーム本体６５１と同様に、配置部６５１１、流路ＦＰ１を形成する溝部６５１２及び接続部６５１３，６５１４を有する他、溝部６５１５を有する。
溝部６５１５は、変調領域ＭＡの外側で、かつ、当該変調領域ＭＡの一対の長辺のうち＋Ｙ方向側の長辺に沿うように形成されている。詳述すると、溝部６５１５は、接続部６５１３，６５１４を連通させるように、当該＋Ｙ方向側の長辺の延出方向である＋Ｘ方向に沿って形成されている。このような溝部６５１５は、フレーム本体６５１Ａにカバー部材６５２が取り付けられた際には、接続部６５１３に流入した第２冷媒ＲＥ２の一部が接続部６５１４に向かって流通する流路ＦＰ２（第２流路）を形成する。
【０１１９】
ここで、光変調装置６ＡＢ，６ＡＧ，６ＡＲのうち、光変調装置６ＡＧの偏光板本体６１１に入射される緑色光ＬＧの偏光方向は、上記光変調装置６Ｇに入射される緑色光ＬＧの偏光方向と同じである。このため、光変調装置６ＡＧにおける挟持部材６８の位置、及び、支持部材６７の向きは、上記光変調装置６Ｇにおける挟持部材６８の位置、及び、支持部材６７の向きと同じである。
【０１２０】
図１５は、光変調装置６ＡＢを光入射側から見た図である。換言すると、図１５は、光変調装置６ＡＢにおける挟持部材６８の位置を示す図である。
一方、光変調装置６ＡＢ，６ＡＲの偏光板本体６１１に入射される青色光ＬＢ及び赤色光ＬＲのそれぞれの偏向方向は、上記位相差素子４７３が偏光板本体６１１の光入射側に位置することから、上記光変調装置６Ｂ，６Ｒに入射される青色光ＬＢ及び赤色光ＬＲのそれぞれの偏向方向と異なる。このことから、上記のように、光変調装置６ＡＢ，６ＡＲにおいては、入射側偏光板６１の透過軸ＴＡは、＋Ｘ方向に沿う軸とされている。
このため、例えば光変調装置６ＡＢにおいては、図１５に示すように、光変調装置６ＡＢを光入射側から見た場合に、挟持部材６８は、液晶パネル６３の変調領域ＭＡにおける一対の短辺に応じた位置に配置される。すなわち、挟持部材６８は、入射側偏光板６１０の側面のうち、側面６１０Ａ，６１０Ｂではなく、透過軸ＴＡに交差する側面６１０Ｃ，６１０Ｄ（ワイヤーＷＲの延出方向に沿う側面６１０Ｃ，６１０Ｄ）のそれぞれに設けられる。これにより、上記光変調装置６での場合と同様に、挟持部材６８の押圧部６８１１による押圧力によって偏光板本体６１１に破損が生じ、当該破損がワイヤーＷＲに沿って広がる場合でも、当該破損が偏光板本体６１１における光の透過領域内に位置することが抑制される。
【０１２１】
なお、図示を省略するが、挟持部材６８が、側面６１０Ｃ，６１０Ｄに設けられることから、支持部材６７は、一対の被挟持部６７３が＋Ｘ方向において対向するように配置され、一対の接続部６７２が＋Ｙ方向において対向するように配置される。換言すると、光変調装置６ＡＢを光入射側から見た場合に、一対の接続部６７２は、液晶パネル６３の変調領域ＭＡにおける一対の長辺のそれぞれに応じた位置に配置される。
すなわち、光変調装置６ＡＢにおける支持部材６７は、光変調装置６における支持部材６７に対して＋Ｚ方向を中心として９０°回動された向きとなる。
【０１２２】
このような配置の支持部材６７では、各接続部６７２は、フレーム６５Ａの光入射側の面であるカバー部材６５２の面６５２Ａにおいて、変調領域ＭＡの外側で、当該変調領域ＭＡに対して±Ｙ方向側の領域（変調領域ＭＡの各長辺に応じた領域）に接続される。
これらのうち、−Ｙ方向側の領域には、上記流路ＦＰ１を流通する第２冷媒ＲＥ２が流通し、＋Ｙ方向側の領域には、上記流路ＦＰ２を流通する第２冷媒ＲＥ２が流通する。
このため、光変調装置６ＡＢでも、フレーム６５Ａにおいて支持部材６７から熱が伝達される領域のそれぞれに、第２冷媒ＲＥ２を流通させることができ、当該熱を効率よく第２冷媒ＲＥ２に伝達させることができる。
【０１２３】
また、このように向きが回動された支持部材６７においても、接続部６７２と被挟持部６７３とは、＋Ｚ方向において離間しているので、偏光板本体６１１とカバー部材６５２の面６５２Ａとの間には、空隙ＧＰが形成される。このため、送風ファン５１３によって流通する第１冷媒ＲＥ１は、当該空隙ＧＰを＋Ｙ方向に流通する。この第１冷媒ＲＥ１に偏光板本体６１１の熱及び液晶パネル６３の熱が伝達されることによって、入射側偏光板６１（偏光板本体６１１）と液晶パネル６３（パネル本体６４）が冷却される。
なお、光変調装置６ＡＲは、光変調装置６ＡＢと同様の構成を有するので、説明を省略する。
【０１２４】
以上説明した本実施形態に係るプロジェクターによれば、上記プロジェクター１と同様の効果を奏することができる他、以下の効果を奏することができる。
フレーム６５Ａは、上記流路ＦＰ１に加えて、変調領域ＭＡの外側で、当該変調領域ＭＡの一対の長辺のうち＋Ｙ方向側の長辺に沿って配置され、接続部６５１３に流入した第２冷媒ＲＥ２（液体冷媒）の一部が流通する流路ＦＰ２を有する。これによれば、フレーム６５Ａに伝達された熱と第２冷媒ＲＥ２との接触面積を拡大できる。従って、フレーム６５Ａに伝達されるパネル本体６４の熱、及び、支持部材６７を介してフレーム６５Ａに伝達される偏光板本体６１１の熱を、効率よく第２冷媒ＲＥ２に伝達させることができ、これらパネル本体６４及び偏光板本体６１１を効率よく冷却できる。
特に、光変調装置６ＡＢ，６ＡＲにおいては、支持部材６７の接続部６７２は、フレーム６５Ａの面６５２Ａにおいて、変調領域ＭＡの外側で、当該変調領域ＭＡに対して±Ｙ方向側の領域に接続される。このため、このように支持部材６７がフレーム６５Ａに対して接続される場合には、当該支持部材６７を介してフレーム６５Ａに伝達される偏光板本体６１１の熱を、流路ＦＰ１，ＦＰ２を流通する第２冷媒ＲＥ２に効果的に伝達させることができる。
【０１２５】
位相差素子４７３は、第２光及び第３光としての青色光ＬＢ及び赤色光ＬＲのそれぞれの光路において、第２及び第３光変調装置としての光変調装置６ＡＢ，６ＡＲのそれぞれの光入射側に配置されている。そして、第１光変調装置としての光変調装置６ＡＧにおいては、支持部材６７及び挟持部材６８の配置は、光変調装置６Ｇと同様である。また、光変調装置６ＡＢ，６ＡＲにおいては、これらの光入射側から見た場合に、各挟持部材６８は、変調領域ＭＡの±Ｘ方向側の短辺に応じた位置に配置され、支持部材６７は、フレーム６５Ａにおける光入射側の面６５２Ａにおいて、変調領域ＭＡの外側で±Ｙ方向側の長辺に沿う領域に接続される。
これによれば、光変調装置６ＡＧにおいて、入射側偏光板６１の側面のうち、偏光板本体６１１の透過軸ＴＡに交差する側面（ワイヤーＷＲの延出方向に沿う側面）に各挟持部材６８を配置できる。また、光変調装置６ＡＢ，６ＡＲにおいて、入射側偏光板６１０の側面のうち、偏光板本体６１１の透過軸ＴＡに交差する側面６１０Ｃ，６１０Ｄ（ワイヤーＷＲの延出方向に沿う側面６１０Ｃ，６１０Ｄ）に各挟持部材６８を配置できる。従って、上記破損が生じる場合でも、偏光板本体６１１の光の透過領域内に破損箇所が位置することを抑制でき、プロジェクター１の信頼性を一層向上させることができる。
そして、位相差素子４７３は、入射側偏光板６１０を構成し、当該入射側偏光板６１０において偏光板本体６１１から伝達される熱を放出する透光性基板として機能する。このため、上記透光性基板６１２を別途設ける必要がない。従って、位相差素子４７３を設けることによる部品点数の増加を抑制できる。
【０１２６】
［実施形態の変形］
本発明は、上記各実施形態に限定されるものではなく、本発明の目的を達成できる範囲での変形、改良等は本発明に含まれるものである。
例えば、上記第２実施形態にて示したフレーム６５Ａを、上記第１実施形態にて示したフレーム６５に代えて採用してもよく、当該フレーム６５をフレーム６５Ａに代えて採用してもよい。すなわち、フレームは、流路ＦＰ１のみを有する構成であってもよく、流路ＦＰ１，ＦＰ２のそれぞれを有する構成であってもよい。
【０１２７】
上記各実施形態では、挟持部材６８は、入射側偏光板６１において互いに反対側となる側面に応じて配置されるとした。しかしながら、これに限らず、入射側偏光板６１及び支持部材６７を挟持する挟持部材６８の数は、適宜変更可能であり、１以上であればよい。更に、入射側取付部材６６は、支持部材６７と挟持部材６８とが一体となった構成を有していてもよい。
また、挟持部材６８は、入射側偏光板６１，６１０の側面のうち、偏光板本体６１１の透過軸ＴＡに交差する側面（ワイヤーＷＲの延出方向に沿う側面）に応じて配置されるとした。しかしながら、これに限らず、挟持部材６８の配置位置は、適宜変更可能である。例えば、入射側偏光板の構成によっては、透過軸ＴＡに交差する側面でない側面に挟持部材が配置されてもよい。
また、挟持部材６８が配置される入射側偏光板の側面は、当該入射側偏光板（偏光板本体）の透過軸に対して交差していればよく、必ずしも直交していなくてもよい。また例えば、入射側偏光板（偏光板本体）が矩形ではなく円形である場合等において、偏光板本体の周縁における当該偏光板本体の透過軸に交差する部位に、挟持部材による挟持部位が位置していてもよい。
【０１２８】
上記各実施形態では、入射側偏光板６１は、偏光板本体６１１及び透光性基板６１２を有する構成とした。しかしながら、これに限らず、透光性基板６１２は無くてもよい。また、入射側偏光板６１は、透光性基板上に偏光シートが配設されたものであってもよい。
更に、偏光板本体６１１は、ワイヤーグリッド偏光素子であるとした。しかしながら、これに限らず、有機偏光板や無機偏光板等、他の構成を有する偏光板であってもよい。また、偏光板本体６１１は、ワイヤーグリッド偏光素子である場合でも、透過軸に直交する軸に沿った偏光成分の光を、吸収ではなく反射させる偏光素子であってもよい。このような偏光板本体６１１では、吸収される光量を少なくすることができるので、当該偏光板本体６１１の温度上昇を抑制でき、ひいては、劣化を抑制できる。
【０１２９】
上記第１実施形態では、位相差素子４７３は、青色光ＬＢ及び赤色光ＬＲの光路において、光変調装置６Ｂ，６Ｒの光出射側に配置されるとした。また、上記第２実施形態では、位相差素子４７３は、青色光ＬＢ及び赤色光ＬＲの光路において、光変調装置６ＡＢ，６ＡＲの光入射側に配置されるとした。しかしながら、これらに限らず、位相差素子４７３は無くてもよい。また、位相差素子４７３が設けられる場合であっても、色分離装置４４より光路上流側に配置されていてもよい。すなわち、位相差素子の配置位置は、光合成装置４７４に対する光入射側であれば、どこでもよい。
【０１３０】
上記各実施形態では、光変調装置６Ｇ，６ＡＧが第１光変調装置に相当し、光変調装置６Ｂ，６ＡＢ及び光変調装置６Ｒ，６ＡＲが第２及び第３光変調装置に相当するとした。しかしながら、本発明は、各光変調装置６，６Ａの配置や、光合成装置４７４の構成の他、当該光合成装置４７４にて反射される光の波長及び透過される光の波長によっては、必ずしも上記構成に限定されない。
また、緑色光ＬＧが第１光に相当し、青色光ＬＢ及び赤色光ＬＲが第２光及び第３光に相当するとした。しかしながら、これに限らず、上記のように、光合成装置４７４の構成等に応じて、第１〜第３光は、適宜変更可能である。更に、各光変調装置６，６Ａが変調する色光は、青色光ＬＢ、緑色光ＬＧ及び赤色光ＬＲに限らず、他の色光でもよい。
【０１３１】
上記第２実施形態では、位相差素子４７３は、透光性基板６１２に代えて採用されるとした。すなわち、光変調装置６ＡＢ，６ＡＧは、偏光板本体６１１及び透光性基板６１２を有する入射側偏光板６１に代えて、偏光板本体６１１と、当該偏光板本体６１１に対する光入射側に配置される位相差素子４７３とを有する入射側偏光板６１０を備えるとした。しかしながら、これに限らず、青色光ＬＢ及び赤色光ＬＲの光路において、フィールドレンズ４７１と、光変調装置６Ｂ，６Ｒの入射側偏光板６１（偏光板本体６１１及び透光性基板６１２を有する入射側偏光板６１）との間に、位相差素子４７３が配置される構成としてもよい。
【０１３２】
上記各実施形態では、光変調装置６，６Ａを含む画像形成ユニット４７２は、第１密閉筐体５１１内に配置されるとした。しかしながら、これに限らず、画像形成ユニット４７２は、必ずしも密閉筐体内に配置される必要はない。
上記各実施形態では、冷却装置５は、入射側偏光板６１と液晶パネル６３との間に気体冷媒である第１冷媒ＲＥ１を流通させる送風ファン５１３（第２流通装置）と、液晶パネル６３と出射側偏光板６２との間に当該第１冷媒ＲＥ１を流通させる送風ファン５１４とを有するとした。しかしながら、これに限らず、このような送風ファン５１３，５１４のうち、少なくともいずれかは無くてもよい。すなわち、各光変調装置６，６Ａに液体冷媒を流通させることができれば、冷却装置５の構成は、適宜変更可能である。
【０１３３】
上記各実施形態では、プロジェクター１は、３つの光変調装置６（６Ｂ，６Ｇ，６Ｒ）又は３つの光変調装置６Ａ（６ＡＢ，６ＡＧ，６ＡＲ）を備えるとした。しかしながら、これに限らず、２つ以下、あるいは、４つ以上の光変調装置を備えるプロジェクターにも、本発明を適用可能である。
上記各実施形態では、画像投射装置４は、図２に示した光学部品を有する構成とした。しかしながら、これに限らず、画像投射装置４に採用される光学部品や当該光学部品の配置は、適宜変更可能である。
上記各実施形態では、光源装置４１は、固体光源ＳＳを有する光源部４１０と、当該光源部４１０から出射された光のうち、一部の光を拡散させる光拡散装置４１７と、他の一部の光の波長を変換する波長変換装置４１９とを備える構成とした。しかしながら、これに限らず、光源装置４１は、超高圧水銀ランプ等の光源ランプを備える構成としてもよく、ＬＥＤ（Light Emitting Diode）等の他の固体光源を有する構成としてもよい。すなわち、光源装置の構成も適宜変更可能である。
【符号の説明】
【０１３４】
１…プロジェクター、４１…光源装置、４７…画像形成装置、４７３…位相差素子（透光性基板）、４７４…光合成装置、４７５…保持部材、４７５２…挿入部、４７５３…腕部、４８…投射光学装置、５…冷却装置、５１３…送風ファン（第２流通装置）、５５…ポンプ（第１流通装置）、６，６Ａ…光変調装置、６Ｇ，６ＡＧ…光変調装置（第１光変調装置）、６Ｂ，６ＡＢ，６Ｒ，６ＡＲ…光変調装置（第２光変調装置、第３光変調装置）、６１，６１０…入射側偏光板、６１Ａ，６１Ｂ，６１０Ｃ，６１０Ｄ…側面、６１１…偏光板本体、６１２…透光性基板、６３…液晶パネル、６４…パネル本体、６５，６５Ａ…フレーム、６６…入射側取付部材（取付部材）、６７…支持部材、６８…挟持部材、６８１…第１対向部、６８１１…押圧部、６８３…接続部、６９…出射側取付部材、６９２…孔部、ＡＡ…吸収軸、ＦＰ１…流路（第１流路）、ＦＰ２…流路（第２流路）、ＦＰＣ…フレキシブルプリント基板、ＭＡ…変調領域、Ｐ１，Ｐ２…パイプ、ＲＥ１…第１冷媒（気体冷媒）、ＲＥ２…第２冷媒（液体冷媒）、ＴＡ…透過軸、ＷＲ…ワイヤー。
【図１】
2019082559.tif 000003
【図２】
2019082559.tif 000004
【図３】
2019082559.tif 000005
【図４】
2019082559.tif 000006
【図５】
2019082559.tif 000007
【図６】
2019082559.tif 000008
【図７】
2019082559.tif 000009
【図８】
2019082559.tif 000010
【図９】
2019082559.tif 000011
【図１０】
2019082559.tif 000012
【図１１】
2019082559.tif 000013
【図１２】
2019082559.tif 000014
【図１３】
2019082559.tif 000015
【図１４】
2019082559.tif 000016
【図１５】
2019082559.tif 000017